(57)【特許請求の範囲】
【請求項１】
複数の画像形成装置が連結され、当該複数の画像形成装置それぞれが異なる印刷面の画像形成を行ってジョブを実行する直列タンデム構成の画像形成システムにおいて、
前記画像形成装置それぞれに対して設けられ、前記ジョブの全ページに係るジョブデータ及び画像データを記憶する記憶部と、
前記画像形成装置それぞれに対して設けられ、一度実行されたジョブのジョブデータ及び画像データを前記記憶部から読み出し、当該読み出したジョブデータ及び画像データに基づいて、ジョブの再実行の制御を行う制御部と、
前記ジョブに対する変更指示データが入力される設定変更部と、
を備え、
前記複数の画像形成装置のうちいずれか一つの画像形成装置の制御部は、
前記設定変更部により入力された変更指示データによって前記画像データの再生成が必要か否かを判別し、前記画像データの再生成が不要の場合、当該変更指示データを他の前記画像形成装置に送信し、
前記変更指示データを受信した画像形成装置の制御部は、
前記変更指示データに基づいて、自装置が備える前記記憶部に記憶されているジョブデータを変更して書き替えること、
を特徴とする画像形成システム。
【請求項２】
複数の画像形成装置が連結され、当該複数の画像形成装置それぞれが異なる印刷面の画像形成を行ってジョブを実行する直列タンデム構成の画像形成システムにおいて、
前記画像形成装置それぞれに対して設けられ、前記ジョブの全ページに係るジョブデータ及び画像データを記憶する記憶部と、
前記画像形成装置それぞれに対して設けられ、一度実行されたジョブのジョブデータ及び画像データを前記記憶部から読み出し、当該読み出したジョブデータ及び画像データに基づいて、ジョブの再実行の制御を行う制御部と、
プリントデータ及びプリント設定データを受信する受信部と、前記プリントデータを展開して画像データを生成するコントローラ制御部と、前記受信部により受信された前記プリントデータ及びプリント設定データを記憶するコントローラ記憶部と、を有するコントローラと、
を備え、
前記複数の画像形成装置のうちいずれか一つの画像形成装置の制御部は、
前記コントローラ制御部により生成された画像データ及び前記プリント設定データに基づいて、ジョブデータを生成し、当該ジョブデータ及び画像データを他の画像形成装置へ送信すること、
を特徴とする画像形成システム。
【請求項３】
前記コントローラが前記複数の画像形成装置のうちいずれか一つに設けられており、
前記受信部は、
前記ジョブに対する変更指示データを受信し、
前記コントローラ制御部は、
前記受信部により受信された変更指示データによって前記画像データの再生成が必要か否かを判別し、
前記コントローラが設けられている画像形成装置の制御部は、
前記コントローラ制御部が前記画像データの再生成が不要と判別した場合、前記変更指示データのみを前記コントローラが設けられていない前記画像形成装置に送信すること、
を特徴とする請求項２に記載の画像形成システム。
【請求項４】
複数の画像形成装置が連結され、当該複数の画像形成装置それぞれが異なる印刷面の画像形成を行ってジョブを実行する直列タンデム構成の画像形成システムにおいて、
前記画像形成装置それぞれに対して設けられ、前記ジョブの全ページに係るジョブデータ及び画像データを記憶する記憶部と、
前記画像形成装置それぞれに対して設けられ、一度実行されたジョブのジョブデータ及び画像データを前記記憶部から読み出し、当該読み出したジョブデータ及び画像データに基づいて、ジョブの再実行の制御を行う制御部と、
原稿から画像を読み取って前記画像データを生成する画像読取部と、
を備え、
前記画像形成装置それぞれに対して設けられた記憶部は、書き替え可能な不揮発性のメモリを有し、
前記画像形成装置それぞれに設けられた制御部は、
前記ジョブが前記不揮発性のメモリへの記憶指示が設定されている保存ジョブである場合、当該ジョブのジョブデータ及び画像データを自装置の前記記憶部が有する前記不揮発性のメモリに記憶させ、
前記画像読取部が生成した画像データを取得する前記複数の画像形成装置のうちいずれか一つの前記画像形成装置の制御部は、
前記画像読取部により生成された画像データを自装置の前記記憶部が有する前記不揮発性のメモリに記憶させ、当該画像データを他の画像形成装置へ送信し、
前記他の画像形成装置それぞれに設けられた制御部は、
受信した前記画像データを自装置の前記記憶部が有する前記不揮発性のメモリに記憶させること、
を特徴とする画像形成システム。
【請求項５】
複数の画像形成装置が連結され、当該複数の画像形成装置それぞれが異なる印刷面の画像形成を行ってジョブを実行する直列タンデム構成の画像形成システムにおいて、
前記画像形成装置それぞれに対して設けられ、前記ジョブの全ページに係るジョブデータ及び画像データを記憶する記憶部と、
前記画像形成装置それぞれに対して設けられ、一度実行されたジョブのジョブデータ及び画像データを前記記憶部から読み出し、当該読み出したジョブデータ及び画像データに基づいて、ジョブの再実行の制御を行う制御部と、
を備え、
前記画像形成装置それぞれに対して設けられた記憶部は、書き替え可能な不揮発性のメモリを有し、
前記画像形成装置それぞれに設けられた制御部は、
前記ジョブが前記不揮発性のメモリへの記憶指示が設定されている保存ジョブである場合、当該ジョブのジョブデータ及び画像データを自装置の前記記憶部が有する前記不揮発性のメモリに記憶させ、
前記画像形成装置それぞれに設けられた制御部は、
自装置の前記記憶部が有する前記不揮発性のメモリに異常が発生した場合、
当該不揮発性のメモリに記憶されているデータを、他の前記画像形成装置の前記記憶部が有する前記不揮発性のメモリに記憶されているデータに書き替えること、
を特徴とする画像形成システム。
【請求項６】
前記ジョブの再実行とは、
前記不揮発性のメモリに記憶されたジョブの実行であること、
を特徴とする請求項４又は５に記載の画像形成システム。
【請求項７】
複数の画像形成装置が連結され、当該複数の画像形成装置それぞれが異なる印刷面の画像形成を行ってジョブを実行する直列タンデム構成の画像形成システムにおいて、
前記画像形成装置それぞれに対して設けられ、前記ジョブの全ページに係るジョブデータ及び画像データを記憶する記憶部と、
前記画像形成装置それぞれに対して設けられ、一度実行されたジョブのジョブデータ及び画像データを前記記憶部から読み出し、当該読み出したジョブデータ及び画像データに基づいて、ジョブの再実行の制御を行う制御部と、
を備え、
前記ジョブの再実行とは、
前記ジョブの初回実行後に実行される当該ジョブの実行、前記ジョブの少なくとも一部を実行する仮実行の後に実行される当該ジョブの本実行、又は、前記ジョブの設定情報の変更を行うことを前提に実行されるジョブの実行の後に実行される当該ジョブの実行であること、
を特徴とする画像形成システム。
【請求項８】
前記複数の画像形成装置のうちいずれか一つの画像形成装置の制御部は、
前記ジョブの初回実行時において、当該ジョブのジョブデータ及び画像データを他の画像形成装置へ送信し、
前記他の画像形成装置それぞれに設けられた制御部は、
受信した前記ジョブデータ及び画像データを自装置に設けられた前記記憶部に記憶させること、
を特徴とする請求項１から７のいずれか一項に記載の画像形成システム。
【請求項９】
プリントデータ及びプリント設定データを送受信する送受信部と、前記プリントデータを展開して画像データを生成するコントローラ制御部と、前記送受信部により受信された前記プリントデータ及びプリント設定データを記憶するコントローラ記憶部と、を有し、前記複数の画像形成装置それぞれに設けられたコントローラを備え、
前記コントローラ制御部は、
前記プリントデータ及びプリント設定データを外部装置から前記送受信部により受信した場合、当該受信したプリントデータ及びプリント設定データを他のコントローラへ送信すること、
を特徴とする請求項５又は７に記載の画像形成システム。
【請求項１０】
前記送受信部は、
前記ジョブに対する変更指示データを受信し、
前記送受信部により変更指示データを受信したコントローラのコントローラ制御部は、
他のコントローラへ当該変更指示データを送信すること、
を特徴とする請求項９に記載の画像形成システム。
【請求項１１】
用紙の両面に画像を形成する両面モードが設定されたジョブを実行する場合、
前記複数の画像形成装置のうちいずれか一つの画像形成装置の制御部は、
前記用紙の一方の面にページ番号が奇数のページの画像形成の制御を自装置に設けられた前記記憶部に記憶されたジョブデータ及び画像データに基づいて実行し、
前記奇数ページの画像形成の制御を行う制御部を除くいずれか一つの制御部は、
前記用紙の他方の面にページ番号が偶数のページの画像形成の制御を自装置に設けられた前記記憶部に記憶されたジョブデータ及び画像データに基づいて実行すること、
を特徴とする請求項１から１０のいずれか一項に記載の画像形成システム。
【発明の詳細な説明】
【技術分野】
【０００１】
本発明は、画像形成システムに関する。
【背景技術】
【０００２】
近年、用紙搬送経路が接続されることにより複数の画像形成装置が直列的に連結されたタンデム構成の画像形成システムがある。このような画像形成システムでは、例えば、２台の画像形成装置と、外部装置から受信したデータに基づいて当該２台の画像形成装置を制御するコントローラとを備え、偶数ページを一方の画像形成装置で形成させ、奇数ページを他方の画像形成装置で形成させる等、各ページの画像形成が複数の画像形成装置によって分担されて実行されている。しかし、このようなタンデム構成の画像形成システムでは、１つのコントローラで複数の画像形成装置を制御するため、コントローラにかかる負担が大きく、各画像形成装置へのデータ転送時間が長くなっていた。
【０００３】
そこで、タンデム構成のプリンタそれぞれに対してコントローラを搭載し、ホスト装置から送信される印刷データを一方のコントローラが受信開始と同時に他方のコントローラへ印刷データをそのまま送信し、それぞれのコントローラで印刷データを処理するプリンタシステムが開示されている（特許文献１参照）。
【先行技術文献】
【特許文献】
【０００４】
【特許文献１】特開２００９−６６９３７号公報
【発明の概要】
【発明が解決しようとする課題】
【０００５】
しかしながら、特許文献１では、複数の画像形成装置それぞれに設けられたコントローラ毎にデータの送受信や印刷設定等の処理を行うことは、同様の処理がコントローラ毎に行なわれることとなり効率的ではなくコストがかかる。
【０００６】
そのため、所定の画像形成装置に設けられたコントローラで画像形成に係るデータを受信し、他の画像形成装置へ当該データを送信する構成であることが好ましい。しかし、一度印刷したデータを再度印刷するリプリントの場合、受信したデータの試し印刷を行った後の本印刷を行う場合、受信したデータに対して印刷設定を行った後に印刷が行われるウェイトプリントの場合等、一旦、受信したデータを用いて印刷する場合においては、印刷開始時にデータを画像形成装置間で転送していたのでは、画像形成装置間でのデータの転送時間分だけ、各画像形成装置の印刷開始タイミングが遅延するという問題が生じる。
【０００７】
本発明の課題は、上記問題に鑑みて、複数の画像形成装置を備えるタンデム構成の画像形成システムにおいて、画像形成に係るデータの転送による印刷遅延を防止し、生産性を向上させること、である。
【課題を解決するための手段】
【０００８】
請求項１に記載の発明は、複数の画像形成装置が連結され、当該複数の画像形成装置それぞれが異なる印刷面の画像形成を行ってジョブを実行する直列タンデム構成の画像形成システムにおいて、前記画像形成装置それぞれに対して設けられ、前記ジョブの全ページに係るジョブデータ及び画像データを記憶する記憶部と、前記画像形成装置それぞれに対して設けられ、一度実行されたジョブのジョブデータ及び画像データを前記記憶部から読み出し、当該読み出したジョブデータ及び画像データに基づいて、ジョブの再実行の制御を行う制御部と、前記ジョブに対する変更指示データが入力される設定変更部と、を備え、前記複数の画像形成装置のうちいずれか一つの画像形成装置の制御部は、前記設定変更部により入力された変更指示データによって前記画像データの再生成が必要か否かを判別し、前記画像データの再生成が不要の場合、当該変更指示データを他の前記画像形成装置に送信し、前記変更指示データを受信した画像形成装置の制御部は、前記変更指示データに基づいて、自装置が備える前記記憶部に記憶されているジョブデータを変更して書き替えること、を特徴とする画像形成システムである。
請求項２に記載の発明は、複数の画像形成装置が連結され、当該複数の画像形成装置それぞれが異なる印刷面の画像形成を行ってジョブを実行する直列タンデム構成の画像形成システムにおいて、前記画像形成装置それぞれに対して設けられ、前記ジョブの全ページに係るジョブデータ及び画像データを記憶する記憶部と、前記画像形成装置それぞれに対して設けられ、一度実行されたジョブのジョブデータ及び画像データを前記記憶部から読み出し、当該読み出したジョブデータ及び画像データに基づいて、ジョブの再実行の制御を行う制御部と、プリントデータ及びプリント設定データを受信する受信部と、前記プリントデータを展開して画像データを生成するコントローラ制御部と、前記受信部により受信された前記プリントデータ及びプリント設定データを記憶するコントローラ記憶部と、を有するコントローラと、を備え、前記複数の画像形成装置のうちいずれか一つの画像形成装置の制御部は、前記コントローラ制御部により生成された画像データ及び前記プリント設定データに基づいて、ジョブデータを生成し、当該ジョブデータ及び画像データを他の画像形成装置へ送信すること、を特徴とする画像形成システムである。
請求項４に記載の発明は、複数の画像形成装置が連結され、当該複数の画像形成装置それぞれが異なる印刷面の画像形成を行ってジョブを実行する直列タンデム構成の画像形成システムにおいて、前記画像形成装置それぞれに対して設けられ、前記ジョブの全ページに係るジョブデータ及び画像データを記憶する記憶部と、前記画像形成装置それぞれに対して設けられ、一度実行されたジョブのジョブデータ及び画像データを前記記憶部から読み出し、当該読み出したジョブデータ及び画像データに基づいて、ジョブの再実行の制御を行う制御部と、原稿から画像を読み取って前記画像データを生成する画像読取部と、を備え、前記画像形成装置それぞれに対して設けられた記憶部は、書き替え可能な不揮発性のメモリを有し、前記画像形成装置それぞれに設けられた制御部は、前記ジョブが前記不揮発性のメモリへの記憶指示が設定されている保存ジョブである場合、当該ジョブのジョブデータ及び画像データを自装置の前記記憶部が有する前記不揮発性のメモリに記憶させ、前記画像読取部が生成した画像データを取得する前記複数の画像形成装置のうちいずれか一つの前記画像形成装置の制御部は、前記画像読取部により生成された画像データを自装置の前記記憶部が有する前記不揮発性のメモリに記憶させ、当該画像データを他の画像形成装置へ送信し、前記他の画像形成装置それぞれに設けられた制御部は、受信した前記画像データを自装置の前記記憶部が有する前記不揮発性のメモリに記憶させること、を特徴とする画像形成システムである。
請求項５に記載の発明は、複数の画像形成装置が連結され、当該複数の画像形成装置それぞれが異なる印刷面の画像形成を行ってジョブを実行する直列タンデム構成の画像形成システムにおいて、前記画像形成装置それぞれに対して設けられ、前記ジョブの全ページに係るジョブデータ及び画像データを記憶する記憶部と、前記画像形成装置それぞれに対して設けられ、一度実行されたジョブのジョブデータ及び画像データを前記記憶部から読み出し、当該読み出したジョブデータ及び画像データに基づいて、ジョブの再実行の制御を行う制御部と、を備え、前記画像形成装置それぞれに対して設けられた記憶部は、書き替え可能な不揮発性のメモリを有し、前記画像形成装置それぞれに設けられた制御部は、前記ジョブが前記不揮発性のメモリへの記憶指示が設定されている保存ジョブである場合、当該ジョブのジョブデータ及び画像データを自装置の前記記憶部が有する前記不揮発性のメモリに記憶させ、前記画像形成装置それぞれに設けられた制御部は、自装置の前記記憶部が有する前記不揮発性のメモリに異常が発生した場合、当該不揮発性のメモリに記憶されているデータを、他の前記画像形成装置の前記記憶部が有する前記不揮発性のメモリに記憶されているデータに書き替えること、を特徴とする画像形成システムである。
請求項７に記載の発明は、複数の画像形成装置が連結され、当該複数の画像形成装置それぞれが異なる印刷面の画像形成を行ってジョブを実行する直列タンデム構成の画像形成システムにおいて、前記画像形成装置それぞれに対して設けられ、前記ジョブの全ページに係るジョブデータ及び画像データを記憶する記憶部と、前記画像形成装置それぞれに対して設けられ、一度実行されたジョブのジョブデータ及び画像データを前記記憶部から読み出し、当該読み出したジョブデータ及び画像データに基づいて、ジョブの再実行の制御を行う制御部と、を備え、前記ジョブの再実行とは、前記ジョブの初回実行後に実行される当該ジョブの実行、前記ジョブの少なくとも一部を実行する仮実行の後に実行される当該ジョブの本実行、又は、前記ジョブの設定情報の変更を行うことを前提に実行されるジョブの実行の後に実行される当該ジョブの実行であること、を特徴とする画像形成システムである。
【発明の効果】
【０００９】
本発明によれば、複数の画像形成装置を備えるタンデム構成の画像形成システムにおいて、画像形成に係るデータの転送による印刷遅延を防止でき、生産性を向上させることができる。
【図面の簡単な説明】
【００１０】
【図１】画像形成システム１の概略構成図である。
【図２】実施の形態１における第１画像形成装置の概略構成図である。
【図３】ジョブデータの構成例を示す図である。
【図４】（ａ）はジョブ情報の例、（ｂ）はページ情報の例を示す図である。
【図５】実施の形態１における第２画像形成装置の概略構成図である。
【図６】実施の形態１における初回プリント処理及びプリント設定変更処理のフローチャートである。
【図７】ステップＳ１８及びＳ２１において実行される設定変更処理のフローチャートである。
【図８】ジョブ設定変更画面の例を示す図である。
【図９】実施の形態１における保存ジョブの再プリント処理のフローチャートである。
【図１０】実施の形態１におけるオーバーレイ画像登録処理のフローチャートである。
【図１１】実施の形態１におけるバックアップ処理のフローチャートである。
【図１２】バックアップ画面の例を示す図である。
【図１３】実施の形態２における第１画像形成装置の概略構成図である。
【図１４】実施の形態２における第２画像形成装置の概略構成図である。
【図１５】実施の形態２における初回プリント処理及びプリント設定変更処理のフローチャートである。
【図１６】ステップＳ１２２及びＳ１２５において実行される設定変更処理のフローチャートである。
【発明を実施するための形態】
【００１１】
［実施の形態１］
以下、図を参照して本発明の実施の形態１を詳細に説明する。
まず、構成を説明する。
図１に、本実施の形態１における画像形成システム１の概略構成図を示す。
図１に示すように、画像形成システム１は、用紙の搬送経路の上流側から、給紙装置１０、第１画像形成装置２０Ａ、スタック反転装置３０、第２画像形成装置４０Ａ、後処理装置５０等が直列的に連結された直列タンデム構成となっている。
本実施の形態１における画像形成システムでは、第１画像形成装置２０Ａ、第２画像形成装置４０Ａがそれぞれ異なる印刷面の画像形成を行ってジョブを実行する。
【００１２】
給紙装置１０は、ＰＦＵ（Paper Feed Unit）と称されるものであり、複数の給紙トレイや、給紙ローラ、分離ローラ、給紙／分離ゴム、送り出しローラ等からなる給紙手段等を備える。各給紙トレイには、用紙の種類（紙種、坪量、用紙サイズ等）毎に予め識別された用紙が格納されており、給紙トレイに格納されている用紙の最上部から一枚ずつ給紙手段により第１画像形成装置の用紙搬送部へ搬送される。
【００１３】
第１画像形成装置２０Ａは、原稿から画像を読み取り、読み取った画像を用紙に画像形成したり、外部装置等からＰＤＬ（Page Description Language）形式やＴｉｆｆ形式等のページ記述言語形式のプリントデータ、及び、当該プリントデータに対する各種出力指示が設定されたプリント設定データを受信し、受信したプリントデータ及びプリント設定データ等に基づいて画像を用紙上に画像形成する。第１画像形成装置２０Ａは、画像読取部２１、操作表示部２２、プリント部２３等を備えて構成される。
【００１４】
画像読取部２１は、ＡＤＦ（Auto Document Feeder）と称される自動原稿送り部と読取部とを備え、操作表示部２２により受け付けられた設定情報に基づいて原稿の画像を読み取り、アナログ信号の画像データを生成する。自動原稿送り部の原稿トレイに載置された原稿は、読取個所であるコンタクトガラスに搬送され、光学系により原稿の片面又は両面の画像が読み取られ、ＣＣＤ（Charge Coupled Device）２１１により原稿の画像が読み取られる。ここで、画像とは、図形や写真等の画像データに限らず、文字や記号等のテキストデータ等も含む意である。
【００１５】
操作表示部２２は、ＬＣＤ（Liquid Crystal Display）２２１、ＬＣＤ２２１を覆うように設けられたタッチパネル、各種スイッチやボタン、テンキー、操作キー群等から構成される。操作表示部２２は、ユーザからの指示を受け付けその操作信号を制御部２５０Ａに出力し、また、制御部２５０Ａから入力される表示信号に従って、各種操作指示や設定情報を入力するための各種設定画面や各種処理結果等を表示する。
【００１６】
プリント部２３は、電子写真方式の画像形成処理を行うものであり、給紙部２３１、用紙搬送部２３２、各色の画像形成部２３３、定着ユニット２３４等のプリント出力に係る各部を備えて構成される。
なお、本実施の形態のプリント部２３では、電子写真方式を適用した例を説明するが、これに限らず、インクジェット方式、熱昇華方式等、他のプリント方式を適用することとしてもよい。
【００１７】
給紙部２３１は、複数の給紙トレイと給紙トレイ毎に設けられた給紙ローラ、分離ローラ、給紙／分離ゴム、送り出しローラ等からなる給紙手段を備える。各給紙トレイには、用紙の種類（紙種、坪量、用紙サイズ等）毎に予め識別された用紙が格納されており、給紙トレイに格納されている用紙の最上部から一枚ずつ給紙手段により用紙搬送部に向けて搬送される。
【００１８】
用紙搬送部２３２は、給紙装置１０又は給紙部２３１から搬送された用紙を、複数の中間ローラ、レジストローラ等を経る画像形成部２３３への用紙搬送経路上に用紙を搬送し、画像形成部２３３の転写装置へと搬送する。
また、用紙搬送部２３２は、反転搬送部２３２ａを備える。反転搬送部２３２ａは、定着ユニット２３４から排出された用紙を、反転ローラ等によりスイッチバックして表裏反転させ、スタック反転装置３０又は二次転写位置へ搬送する。
【００１９】
画像形成部２３３は、感光体ドラム、帯電装置、露光装置、現像装置、一次転写ローラ、クリーニング装置等を備え、印刷画像データに基づき用紙上に画像が形成された出力物を生成する。第１画像形成装置２０Ａがカラー画像を形成するものである場合には、画像形成部２３３が色毎に設けられる。
【００２０】
イエロー（Ｙ）の画像を形成する画像形成部２３３ｙでは、帯電装置により帯電された感光体ドラムの表面に、露光装置からイエロー（Ｙ）の印刷画像データに応じた光が照射され静電潜像が書き込まれる。そして、静電潜像が書き込まれた感光体ドラムの表面に、帯電したイエロー（Ｙ）のトナーが現像装置により付着されて静電潜像が現像される。現像装置により感光体ドラム上に付着したトナーは、感光体ドラムが一定速度で回転されることにより、一次転写ローラが配置された一次転写位置で中間転写ベルト２３３ａに転写される。中間転写ベルト２３３ａにトナーが転写された後、クリーニング装置により、感光体ドラムの表面の残留電荷や残留トナー等が除去され、除去されたトナー等はトナー回収箱へ回収される。
【００２１】
同様に、マゼンタ（Ｍ）、シアン（Ｃ）、ブラック（Ｋ）の各色の画像を形成する画像形成部２３３ｍ、２３３ｃ、２３３ｋは、感光体ドラムの周囲に配置された帯電装置、露光装置、現像装置、一次転写ローラ、クリーニング装置等を備え、マゼンタ（Ｍ）、シアン（Ｃ）、ブラック（Ｋ）のトナー像をそれぞれ形成する。
【００２２】
中間転写ベルト２３３ａに転写された各色のトナー像は、二次転写ローラが配置された二次転写位置で用紙に一括転写される。
【００２３】
定着ユニット２３４は、定着ヒータ、定着ローラ、定着外部加熱部等から構成され、用紙に転写されたトナー像を熱定着する。
【００２４】
定着ユニット２３４により定着処理された用紙は、排紙ローラ等によりスタック反転装置３０に搬送される、又は、用紙搬送部２３２の反転搬送部２３２ａにより反転されて再度二次転写位置に搬送される。
【００２５】
スタック反転装置３０は、第１画像形成装置２０Ａと第２画像形成装置４０Ａとの間に設置されており、第１画像形成装置からの指示に従って、第１画像形成装置２０Ａから搬送された用紙を、第２画像形成装置４０Ａへと搬送する。スタック反転装置３０は、反転ローラ等を有する用紙反転部と、複数枚の用紙をスタックするスタック部とを備えている。第２画像形成装置４０Ａへ搬送する用紙が、表裏を反転させる必要がある場合には、第１画像形成装置２０Ａから搬送された用紙は、用紙反転部によりスイッチバックされることにより表裏反転され、第２画像形成装置４０Ａへと搬送される。また、第２画像形成装置４０Ａが補正等により動作が一次停止する場合には、第１画像形成装置２０Ａから搬送された用紙は、スタック部に一次的に格納され、第２画像形成装置２０Ａの動作再開のタイミングで第２画像形成装置４０Ａへと搬送される。即ち、スタック反転装置３０は、第１画像形成装置２０Ａと第２画像形成装置４０Ａとのタイミング調整を行うスタック機能を有している。更に、第２画像形成装置４０ＡにおいてＪＡＭが発生した場合、スタック部は、第１画像形成装置２０Ａにおいて画像形成済み又は給紙済みの用紙を排出する排紙トレイとして機能する。
なお、第１画像形成装置２０Ａから第２画像形成装置４０Ａへ搬送される用紙の反転を、第１画像形成装置２０Ａ内の用紙反転部が行う場合には、スタック反転装置３０を画像形成システム１に設けなくてもよい。
【００２６】
第２画像形成装置４０Ａは、プリント部４３等を備えて構成され、第１画像形成装置２０Ａからの指示に従って、画像を用紙上に画像形成する。
なお、第２画像形成装置４０Ａが備えるプリント部４３は、第１画像形成装置２０Ａが備えるプリント部２３と同様の構成であるため、説明は省略する。
【００２７】
後処理装置５０は、反転ユニット、ソートユニット、ステイプルユニット、パンチユニット、折ユニット、冊子ユニット等の各種後処理ユニットと、排紙トレイ等を備え、第１画像形成装置２０Ａからの指示に従って、第２画像形成装置４０Ａから搬送された用紙に対して各種後処理を施し、後処理が施された用紙を排紙トレイに排出する。
【００２８】
図２に、本実施の形態１における第１画像形成装置２０Ａの概略構成図を示す。
図２に示すように、第１画像形成装置２０Ａは、画像読取部２１、操作表示部２２、プリント部２３、コントローラ２４、画像制御基板２５、ＨＤＤ（Hard Disk Drive）２６、通信部２７等を備えて構成されている。第１画像形成装置２０Ａは、コントローラ２４のＬＡＮＩＦ（Local Area Network InterFace）２４５を介してネットワーク３上の外部装置２と相互にデータが送受信可能に接続されている。
【００２９】
画像読取部２１は、上述した自動原稿送り部及び読取部と、画像読取制御部２１０とを備える。画像読取制御部２１０は、制御部２５０Ａからの指示に基づいて自動原稿送り部及び読取部等を制御して、複数の原稿の画像を読み取るスキャナ機能を実現させる。画像読取部２１により読み取られたアナログ信号の画像データは、読取処理部２５３に出力され、読取処理部２５３においてＡ／Ｄ変換され各種画像処理が施される。
【００３０】
操作表示部２２は、上述したＬＣＤ２２１やタッチパネル等と、操作表示制御部２２０とを備える。操作表示制御部２２０は、制御部２５０Ａから入力される表示信号に従って、各種設定条件を入力するための各種画面や各種処理結果等をＬＣＤに表示させる。また、操作表示制御部２２０は、各種スイッチやボタン、テンキー、操作キー群又はタッチパネル等から入力される操作信号を制御部２５０Ａに出力する。
【００３１】
プリント部２３は、上述した給紙部２３１、用紙搬送部２３２、各色の画像形成部２３３、定着ユニット２３４等のプリント出力に係る各部と、プリント制御部２３０とを備える。プリント制御部２３０は、制御部２５０Ａからの指示に従って各色の画像形成部２３３等のプリント部２３の各部の動作を制御し、書込処理部２５８から入力された印刷画像データに基づいて画像形成を行わせる。
【００３２】
コントローラ２４は、ネットワーク３に接続される外部装置２等から画像形成システム１に入力されるデータの管理及び制御を行うものであり、外部装置２からプリント対象のデータ（プリントデータ及びプリント設定データ）を受信し、当該プリントデータを展開して生成した画像データとプリント設定データとを画像制御基板２５へ送信する。
コントローラ２４は、コントローラ制御部２４１Ａ、コントローラ記憶部２４２、ＤＲＡＭ（Dynamic Random Access Memory）制御ＩＣ２４３、画像メモリ２４４、ＬＡＮＩＦ２４５等から構成される。
【００３３】
コントローラ制御部２４１Ａは、コントローラ２４各部の動作を統括的に制御し、ＬＡＮＩＦ２４５を介して外部装置２から入力されるプリントデータ及びプリント設定データを自装置が有するコントローラ記憶部２４２への記憶や、当該プリントデータを展開してビットマップ形式の画像データの生成を行う。
【００３４】
コントローラ記憶部２４２は、不揮発性のメモリにより構成されており、プリントデータ及びプリント設定データを記憶する。
【００３５】
ＤＲＡＭ制御ＩＣ２４３は、ＬＡＮＩＦ２４５により受信されたプリントデータのコントローラ制御部２４１Ａへの転送や、画像メモリ２４４に対する画像データ及びプリント設定データの書き込み／読み出しを制御する。また、ＤＲＡＭ制御ＩＣ２４３は、画像制御基板２５のＤＲＡＭ制御ＩＣ２５５とＰＣＩ（Peripheral Components Interconnect）バスで接続されており、コントローラ制御部２４１Ａからの指示に従って、プリント対象の画像データ及びプリント設定データを画像メモリ２４４から読み出してＤＲＡＭ制御ＩＣ２５５に出力する。
【００３６】
画像メモリ２４４は、ＤＲＡＭ等の揮発性のメモリにより構成され、受信したプリントデータ及びプリント設定データや、生成した画像データを一時的に記憶する。
【００３７】
ＬＡＮＩＦ２４５は、ＮＩＣ（Network Interface Card）やモデム等のＬＡＮ等のネットワーク３に接続するための通信インターフェイスであり、外部装置２からプリントデータやプリント設定データを受信する受信部として機能する。受信されたプリントデータやプリント設定データは、ＤＲＡＭ制御ＩＣ２４３に出力される。
【００３８】
画像制御基板２５は、制御部２５０Ａ、不揮発メモリ２５１、ＲＡＭ（Random Access Memory）２５２、読取処理部２５３、圧縮ＩＣ２５４、ＤＲＡＭ制御ＩＣ２５５、画像メモリ２５６、伸長ＩＣ２５７、書込処理部２５８等を備える。
【００３９】
制御部２５０Ａは、ＣＰＵ（Central Processing Unit）等から構成され、不揮発メモリ２５１に格納されているシステムプログラム及び各種アプリケーションプログラムの中から指定されたプログラムを読み出してＲＡＭ２５２に展開し、ＲＡＭ２５２に展開されたプログラムとの協働で、各種処理を実行し、第１画像形成装置２０Ａの各部を集中制御する。
【００４０】
また、制御部２５０Ａは、不揮発メモリ２５１から本実施の形態１に係る初回プリント処理プログラムと、プリント設定変更処理プログラムと、再プリント処理プログラムと、オーバーレイ画像登録処理プログラムと、バックアップ処理プログラムと、当該プログラム及び各種データとの協働により、初回プリント処理、プリント設定変更処理、再プリント処理、オーバーレイ画像登録処理、バックアップ処理を第２画像形成装置４０Ａと協働して実行する。
【００４１】
初回プリント処理では、外部装置２からコントローラ２４を介して入力された画像データ及びプリント設定データ、又は、画像読取部２１から入力された画像データ及び操作表示部２２により設定された設定情報、に基づいてジョブデータ及び圧縮画像データが生成され、当該ジョブデータ及び圧縮画像データが第２画像形成装置へ送信される。また、当該ジョブデータ及び圧縮画像データに基づいて、第２画像形成装置４０Ａと協働してジョブが実行される。
【００４２】
ジョブとは、画像形成に関する一連の動作であり、例えば、所定ページの原稿からなる複写物を作成する場合には、所定ページの原稿の画像形成に関する一連の動作が１ジョブである。このジョブの動作を実行するためのデータがジョブデータである。
【００４３】
ジョブデータは、ジョブ情報とページ情報とを含む。
図３に、ジョブデータの構成例を示し、図４（ａ）に、ジョブ情報の例、図４（ｂ）に、ページ情報の例を示す。
ジョブ情報は、全ページに共通する情報である。例えば、図４（ａ）に示すように、ジョブ情報は、ジョブの設定部数、出力モード、出力トレイ、応用機能、テストプリント有無、カラーモード、用紙種類等を含む。
ページ情報は、図３に示すように、各ページの圧縮画像データＤ１〜Ｄｎと関連付けられており、関連付けられた圧縮画像データに係る情報である。例えば、図４（ｂ）に示すように、ページ情報は、ページ番号、画像サイズ（縦、横）、画像向き、画像の幅、画像の回転角度、格納アドレス等を含む。
【００４４】
プリント設定変更処理は、初回プリント処理の後に実行される処理である。プリント設定変更処理では、ジョブに対する変更指示データがコントローラ２４又は操作表示部２２から入力された場合、変更指示データによって画像データの再生成が必要か否かが判別され、当該判別結果に応じて、第１画像形成装置から第２画像形成装置へ、変更指示データ、又は、当該変更指示データに基づいて再生成されたジョブデータ及び画像データが送信される。そして、変更されたジョブデータ及び圧縮画像データに基づいて、第２画像形成装置４０Ａと協働してジョブが再実行される。
【００４５】
再プリント処理は、初回プリント処理の後に実行される処理である。再プリント処理では、指定された保存ジョブのジョブデータ及び圧縮画像データがＨＤＤ２６から読み出され、当該読み出されたジョブデータ及び圧縮画像データに基づいて、第２画像形成装置と協働してジョブが再実行される。
なお、保存ジョブとは、ＨＤＤへの記憶指示が設定されているジョブである。
【００４６】
オーバーレイ画像登録処理では、画像読取部２１から入力された画像データがＨＤＤ２６にオーバーレイ画像データとして記憶・登録され、また、当該画像データが第２画像形成装置へ送信される。このオーバーレイ画像登録処理を登録オーバーレイモードとも称する。
なお、オーバーレイとは、予め登録されているオーバーレイ画像データをジョブの画像データに重ね合わせて画像形成する機能である。
【００４７】
バックアップ処理では、自装置のＨＤＤ２６に異常が発生した場合に、ＨＤＤ２６に記憶されている全データが、他の画像形成装置のＨＤＤ（第２画像形成装置のＨＤＤ４６）に記憶されている全データに書き替えられる。
【００４８】
不揮発メモリ２５１は、画像形成に係る各種処理プログラム及び各種データの他、本実施の形態１に係る初回プリント処理プログラムと、プリント設定変更処理プログラムと、再プリント処理プログラムと、オーバーレイ画像登録処理プログラムと、バックアップ処理プログラムと、各種プログラムで処理されたデータ等を記憶する。
【００４９】
ＲＡＭ２５２は、制御部２５０Ａにより実行される各種プログラム及びこれらプログラムに係る各種データ等を一時的に記憶するワークエリアを形成する。
また、ＲＡＭ２５２には、コントローラ２４から入力された画像データ及びプリント設定データ、又は、画像読取部２１から入力された画像データ及び当該画像データが取得される際に操作表示部２２により設定された設定情報、に基づいて制御部２５０Ａにより生成されたジョブデータを一時的に記憶する。
【００５０】
読取処理部２５３は、画像読取部２１から入力されるアナログ信号の画像データに対して、アナログ処理、Ａ／Ｄ変換処理、シェーディング処理等の各種処理を施した後、デジタル信号の画像データを生成する。生成された画像データは、圧縮ＩＣ２５４に出力される。
【００５１】
圧縮ＩＣ２５４は、入力されたデジタル信号の画像データに圧縮処理を施してＤＲＡＭ制御ＩＣ２５５に出力する。
【００５２】
ＤＲＡＭ制御ＩＣ２５５は、制御部２５０Ａからの指示に従って、圧縮ＩＣ２５４による画像データの圧縮処理及び伸長ＩＣ２５７による圧縮画像データの伸長処理を制御するとともに、画像メモリ２５６への画像データの入出力制御を行う。
【００５３】
例えば、ＤＲＡＭ制御ＩＣ２５５は、画像読取部２１により読み取られた画像データの保存指示が制御部２５０Ａから入力されると、読取処理部２５３に入力された画像データの圧縮処理を圧縮ＩＣ２５４により実行させて、圧縮画像データを画像メモリ２５６の圧縮メモリ２５６ａに記憶させる。また、ＤＲＡＭ制御ＩＣ２５５は、コントローラ２４のＤＲＡＭ制御ＩＣ２４３から画像データが入力されると、当該画像データの圧縮処理を圧縮ＩＣ２５４により実行させ、圧縮画像データを画像メモリ２５６の圧縮メモリ２５６ａに記憶させる。
【００５４】
更に、ＤＲＡＭ制御ＩＣ２５５は、圧縮メモリ２５６ａに記憶された圧縮画像データのプリント出力指示が制御部２５０Ａから入力されると、圧縮メモリ２５６ａから圧縮画像データを読み出し、伸長ＩＣ２５７により伸長処理を施してページメモリ２５６ｂに記憶させる。さらに、ページメモリ２５６ｂに記憶された画像データのプリント出力指示が入力されると、ページメモリ２５６ｂから画像データを読み出して書込処理部２５８に出力する。
【００５５】
画像メモリ２５６は、ＤＲＡＭ（Dynamic RAM）から構成される圧縮メモリ２５６ａとページメモリ２５６ｂとを備える。圧縮メモリ２５６ａは、圧縮画像データを記憶するためのメモリであり、ページメモリ２５６ｂは、プリント出力用の画像データを一時的に記憶、又は、コントローラからの受信データを圧縮前に一時的に記憶するためのメモリである。
【００５６】
伸長ＩＣ２５７は、圧縮画像データに伸長処理を施す。
【００５７】
書込処理部２５８は、ＤＲＡＭ制御ＩＣ２５５から入力された画像データに基づいて、画像形成のための印刷画像データを生成し、プリント部２３に出力する。
【００５８】
ＨＤＤ２６は、ジョブデータ及び圧縮画像データを記憶する。ＨＤＤ２６に記憶されたジョブデータ及び圧縮画像データのジョブは、保存ジョブと称される。
なお、本実施の形態１では、保存ジョブのジョブデータ及び圧縮画像データを記憶する記憶媒体としてＨＤＤを用いているが、これに限らず、書き替え可能な不揮発性のメモリであればよい。
【００５９】
ジョブデータを記憶するＲＡＭ２５２、圧縮画像データを記憶する圧縮メモリ２５６ａ、ジョブデータ及び圧縮画像データを記憶するＨＤＤ２６は、記憶部として機能する。
【００６０】
通信部２７は、画像形成システム１を構成する各装置が接続されたネットワークに接続するための通信インターフェイスであり、各装置と各種データ送受信する。
【００６１】
図５に、本実施の形態１における第２画像形成装置４０Ａの概略構成図を示す。
図５に示すように、第２画像形成装置４０Ａは、プリント部４３、画像制御基板４５、ＨＤＤ４６、通信部４７等を備えて構成されている。
【００６２】
プリント部４３は、第１画像形成装置２０Ａのプリント部２３と同様であるため、同一の部分は同一の符号を付し、説明は省略する。
【００６３】
画像制御基板４５は、制御部４５０Ａ、不揮発メモリ４５１、ＲＡＭ４５２、ＤＲＡＭ制御ＩＣ４５５、画像メモリ４５６、伸長ＩＣ４５７、書込処理部４５８等を備える。
【００６４】
制御部４５０Ａは、ＣＰＵ等から構成され、不揮発メモリ４５１に格納されているシステムプログラム及び各種アプリケーションプログラムの中から指定されたプログラムを読み出してＲＡＭ４５２に展開し、ＲＡＭ４５２に展開されたプログラムとの協働で、各種処理を実行し、第２画像形成装置４０Ａの各部を集中制御する。
【００６５】
また、制御部４５０Ａは、不揮発メモリ４５１から本実施の形態１に係る初回プリント処理プログラムと、プリント設定変更処理プログラムと、再プリント処理プログラムと、オーバーレイ画像登録処理プログラムと、バックアップ処理プログラム及び各種データとの協働により、第１画像形成装置２０Ａからの制御信号に応じて、初回プリント処理、プリント設定変更処理、再プリント処理、オーバーレイ画像登録処理、バックアップ処理を第１画像形成装置と協働して実行する。
【００６６】
初回プリント処理では、第１画像形成装置から受信したジョブデータと画像データに基づいて、第１画像形成装置と協働してジョブが実行される。
【００６７】
プリント設定変更処理では、第１画像形成装置２０Ａから変更指示データを受信した場合には、当該変更指示データに基づいて記憶していたジョブデータが変更されて書き替えられ、ジョブデータ及び画像データを受信した場合には、記憶していたジョブデータ及び画像データが受信したジョブデータ及び画像データに書き替えられる。そして、変更されたジョブデータ及び圧縮画像データに基づいて、第１画像形成装置２０Ａと協働してジョブが再実行される。
【００６８】
再プリント処理では、第１画像形成装置２０Ａからジョブの指定情報を受信すると、指定情報に対応する保存ジョブのジョブデータ及び画像データがＨＤＤ４６から読み出され、当該読み出されたジョブデータ及び画像データに基づいて、第１画像形成装置２０Ａと協働してジョブが再実行される。
【００６９】
オーバーレイ画像登録処理では、第１画像形成装置２０Ａからオーバーレイ画像データを受信すると、当該オーバーレイ画像データがＨＤＤ４６に記憶、登録される。
【００７０】
バックアップ処理では、自装置のＨＤＤ４６に異常が発生した場合に、ＨＤＤ４６に記憶されている全データが、他の画像形成装置のＨＤＤ（第１画像形成装置のＨＤＤ２６）に記憶されている全データに書き替えられる。
【００７１】
不揮発メモリ４５１は、画像形成に係る各種処理プログラム及び各種データの他、本実施の形態１に係る初回プリント処理プログラム、プリント設定変更処理プログラム、再プリント処理プログラム、オーバーレイ画像登録処理プログラム、バックアップ処理プログラム、各種プログラムで処理されたデータ等を記憶する。
【００７２】
ＲＡＭ４５２は、制御部４５０Ａにより実行される各種プログラム及びこれらプログラムに係る各種データ等を一時的に記憶するワークエリアを形成する。
また、ＲＡＭ４５２には、通信部４７を介して第１画像形成装置２０Ａから入力されたジョブデータを一時的に記憶する。
【００７３】
ＤＲＡＭ制御ＩＣ４５５は、制御部４５０Ａからの指示に従って、伸長ＩＣ４５７による圧縮画像データの伸長処理を制御するとともに、画像メモリ４５６への画像データの入出力制御を行う。
【００７４】
例えば、ＤＲＡＭ制御ＩＣ４５５は、通信部４７からジョブデータ及び圧縮画像データが入力されると、ジョブデータをＲＡＭ４５２に、圧縮画像データを画像メモリ４５６の圧縮メモリ４５６ａにそれぞれ記憶させる。
また、ＤＲＡＭ制御ＩＣ４５５は、圧縮メモリ４５６ａに記憶された圧縮画像データのプリント出力指示が制御部４５０Ａから入力されると、圧縮メモリ４５６ａから圧縮画像データを読み出し、伸長ＩＣ４５７により伸長処理を施してページメモリ４５６ｂに記憶させる。さらに、ページメモリ４５６ｂに記憶された画像データのプリント出力指示が入力されると、ページメモリ４５６ｂから画像データを読み出して書込処理部４５８に出力する。
【００７５】
画像メモリ４５６は、ＤＲＡＭ（Dynamic RAM）から構成される圧縮メモリ４５６ａとページメモリ４５６ｂとを備える。圧縮メモリ４５６ａは、圧縮画像データを記憶するためのメモリであり、ページメモリ４５６ｂは、プリント出力用の画像データを一時的に記憶するためのメモリである。
【００７６】
伸長ＩＣ４５７は、圧縮画像データに伸長処理を施す。
【００７７】
書込処理部４５８は、ＤＲＡＭ制御ＩＣ４５５から入力された画像データに基づいて、画像形成のための印刷画像データを生成し、プリント部４３に出力する。
【００７８】
ＨＤＤ４６は、通信部４７を介して受信された保存ジョブのジョブデータ及び圧縮画像データを記憶する。
なお、本実施の形態１では、保存ジョブのジョブデータ及び圧縮画像データを記憶する記憶媒体としてＨＤＤを用いているが、これに限らず、書き替え可能な不揮発性のメモリであればよい。
【００７９】
ジョブデータを記憶するＲＡＭ４５２、圧縮画像データを記憶する圧縮メモリ４５６ａ、ジョブデータ及び圧縮画像データを記憶するＨＤＤ４６は、記憶部として機能する。
【００８０】
通信部４７は、画像形成システム１を構成する各装置が接続されたネットワークに接続するための通信インターフェイスであり、各装置と各種データ送受信する。
【００８１】
次に、本実施の形態１の動作を説明する。
図６、図７に、本実施の形態１における初回プリント処理及びプリント設定変更処理のフローチャートを示す。
【００８２】
第１画像形成装置のコントローラ制御部２４１Ａは、ネットワーク３を介して接続された外部装置２からプリントデータ及びプリント設定データをＬＡＮＩＦ２４５により受信する（ステップＳ１）。
【００８３】
コントローラ制御部２４１Ａは、受信したプリントデータ及びプリント設定データをコントローラ記憶部２４２に記憶させ（ステップＳ２）、また、プリントデータを展開してＲＩＰ（Raster image processor）処理を施して画像データを生成する（ステップＳ３）。そして、コントローラ制御部２４１Ａは、ＤＲＡＭ制御ＩＣ２４３により、画像データ及びプリント設定データを第１画像形成装置のＤＲＡＭ制御ＩＣ２５５を介して制御部２５０Ａへ送信する。
【００８４】
なお、画像読取部２１によりアナログ信号の画像データが得られた場合には、ステップＳ１〜Ｓ３の処理に替えて、読取処理部２５３によりアナログ信号の画像データから生成された画像データ及び当該アナログ信号の画像データが取得された際に操作表示部２２により設定された設定情報が制御部２５０Ａに入力される処理となる。この場合、アナログ信号の画像データにより生成された画像データがプリントデータにより生成された画像データに相当し、設定情報がプリント設定データに相当する。
画像読取部及び操作表示部から画像データ及び設定情報が制御部２５０Ａに入力された場合の処理は、コントローラから画像データ及びプリント設定データが制御部２５０Ａに入力された場合の処理（ステップＳ４以下の処理）と同様であるため、コントローラから画像データ及びプリント設定データが制御部２５０Ａに入力された場合について、以下説明する。
【００８５】
第１画像形成装置の制御部２５０Ａは、コントローラ２４から画像データ及びプリント設定データを受信すると、受信した全ての画像データに対して圧縮ＩＣ２５４により圧縮処理を施させ、圧縮画像データを生成させる。そして、制御部２５０Ａは、生成された圧縮画像データを圧縮メモリ２５６ａへ記憶させる（ステップＳ４）。
【００８６】
また、第１画像形成装置の制御部２５０Ａは、プリント設定データ及び圧縮画像データに基づくジョブの全ページに係るジョブデータを生成し、生成したジョブデータをＲＡＭ２５２へ記憶させる（ステップＳ５）。
【００８７】
更に、第１画像形成装置の制御部２５０Ａは、ジョブデータ及び圧縮画像データからなるジョブが保存ジョブである場合、当該保存ジョブの全ページに係るジョブデータ及び圧縮画像データをＨＤＤ２６へ記憶させる（ステップＳ６）。
【００８８】
そして、第１画像形成装置の制御部２５０Ａは、ジョブの全ページに係るジョブデータ及び圧縮画像データを通信部２７を介して第２画像形成装置へ送信する（ステップＳ７）。
【００８９】
第２画像形成装置の制御部４５０Ａは、通信部４７を介してジョブデータ及び圧縮画像データを受信すると（ステップＳ８）、ジョブデータをＲＡＭ４５２へ記憶させ、圧縮画像データを圧縮メモリ４５６ａへ記憶させる。
【００９０】
更に、第２画像形成装置の制御部４５０Ａは、ジョブデータ及び圧縮画像データからなるジョブが保存ジョブである場合、当該ジョブデータ及び圧縮画像データをＨＤＤ４６へ記憶させる（ステップＳ９）。
【００９１】
第１画像形成装置の制御部２５０Ａは、ジョブデータに基づいて形成される画像リストを参照して、自装置（第１画像形成装置）でプリントする印刷面のページ（例えば、奇数ページ）の圧縮画像データを圧縮メモリ２５６ａから読み出し、伸長ＩＣ２５７により伸長処理を施してページメモリ２５６ｂに記憶させる（ステップＳ１０）。
また、第２画像形成装置の制御部４５０Ａも第１画像形成装置の制御部２５０Ａと同様に、ジョブデータに基づいて形成される画像リストを参照して、自装置（第２画像形成装置）でプリントする印刷面のページ（例えば、偶数ページ）の圧縮画像データを圧縮メモリ４５６ａから読み出し、伸長ＩＣ４５７により伸長処理を施してページメモリ４５６ｂに記憶させる。（ステップＳ１１）
【００９２】
なお、ステップＳ１０において、ジョブデータにオーバーレイが設定されている場合には、第１画像形成装置の制御部２５０Ａは、当該ジョブデータに設定されているオーバーレイ画像データに対応する圧縮画像データをＨＤＤ２６から読み出し、伸長ＩＣ２５７により伸長処理を施させる。そして、プリントするページの伸長済みの画像データとオーバーレイ画像データとを合成し、当該合成したデータをページメモリ２５６ｂに記憶させる。また、ステップＳ１１でもステップＳ１０と同様に、ジョブデータにオーバーレイが設定されている場合には、第２画像形成装置の制御部４５０Ａは、当該ジョブデータに設定されているオーバーレイ画像データに対応する圧縮画像データをＨＤＤ４６から読み出し、伸長ＩＣ４５７により伸長処理を施させる。そして、プリントするページの伸長済みの画像データとオーバーレイ画像データとを合成し、当該合成したデータをページメモリ４５６ｂに記憶させる。
【００９３】
第１画像形成装置の制御部２５０Ａは、ジョブが両面モードの場合、ページメモリ２５６ｂに記憶した画像データを書込処理部２５８に出力し、書込処理部２５８によって生成された印刷画像データをプリント部２３へ出力することによって、用紙の一方の面（表面）に画像を書き込ませて形成させる（ステップＳ１２）。
【００９４】
そして、用紙の表面に画像が形成された用紙は、制御部２５０Ａからの指示に基づいて、プリント部２３の反転搬送部２３２ａ又はスタック反転装置３０により表裏が反転され、第２画像形成装置へ搬送される（ステップＳ１３）。
なお、両面モードとは、用紙の両面に画像を形成するモードである。
【００９５】
第２画像形成装置の制御部４５０Ａは、第１画像形成装置から一方の面に画像が形成され反転された用紙が搬入されると、ページメモリ４５６ｂに記憶した画像データを書込処理部４５８に出力し、書込処理部４５８によって生成された印刷画像データをプリント部４３へ出力することによって、用紙の他方の面（裏面）に画像を書き込ませて形成させる（ステップＳ１４）。
【００９６】
ステップＳ１０〜Ｓ１４では、両面モードのジョブを実行する場合、第１画像形成装置の制御部２５０Ａは、用紙の一方の面に奇数ページの画像形成をＲＡＭ及び圧縮メモリに記憶されたジョブデータ及び圧縮画像データに基づいて実行し、第２画像形成装置の制御部４５０Ａは、用紙の他方の面に偶数ページの画像形成をＲＡＭ及び圧縮メモリに記憶されたジョブデータ及び圧縮画像データに基づいて実行することとなる。
【００９７】
なお、片面モードのジョブを実行する場合には、例えば、第１画像形成装置の制御部２５０Ａは、ＲＡＭ及び圧縮メモリに記憶されたジョブデータ及び圧縮画像データに基づいて用紙の片面への画像形成を実行し、第２画像形成装置の制御部４５０Ａは、第１画像形成装置により片面に画像形成された用紙を、定着ユニットを通過しないバイパス経路を通して排紙させる。
【００９８】
第１画像形成装置の制御部２５０Ａは、ステップＳ１３後、ジョブデータを参照して、全部数の書き込みが完了したか否かを判別する（ステップＳ１５）。全部数の書き込みが完了した場合（ステップＳ１５；ＹＥＳ）、第１画像形成装置の制御部２５０Ａは、本処理を終了する。
【００９９】
全部数の書き込みが完了していない場合（ステップＳ１５；ＮＯ）、第１画像形成装置の制御部２５０Ａは、ジョブ設定変更画面が表示された操作表示部、又は、コントローラ２４を介して接続された外部装置２により、ジョブに対する設定変更の指示が入力されたか否かを判別する（ステップＳ１６）。
【０１００】
なお、ステップＳ１５；ＮＯ場合とは、ジョブデータに設定された設定部数の書き込みが完了していない場合は勿論のこと、ジョブに対する設定情報の変更を行うことを前提に実行されるジョブの実行（プルーフ出力）が完了した場合、ジョブの本実効の前に当該ジョブの少なくとも一部を実行する仮実行が完了した場合等である。
【０１０１】
図８に、ジョブ設定変更画面の例を示す。
図８に示すように、ジョブ設定変更画面Ｇ１には、ジョブチケット編集領域Ｅ１１と、ページ別チケット編集領域Ｅ１２等が設けられており、当該ジョブ設定変更画面Ｇ１を表示する操作表示部２２は、ジョブに対する変更指示データが入力される設定変更部として機能する。
【０１０２】
ジョブチケット編集領域Ｅ１１には、ジョブ情報の設定変更を受け付ける各種ボタンが設けられており、例えば、カラーバランスボタンＢ１１ａや光沢モードボタンＢ１１ｂ等が設けられている。ページ別チケット編集領域Ｅ１２には、ページ情報の設定変更を受け付ける各種ボタンが設けられており、例えば、イメージスクリーンボタンＢ１２ａ、解像度ボタンＢ１２ｂ、カラーボタンＢ１２ｃ等が設けられている。
【０１０３】
ジョブの設定変更指示が入力されていない場合（ステップＳ１６；ＮＯ）、第１画像形成装置の制御部２５０Ａは、ステップＳ１０の処理に戻る。
【０１０４】
ジョブの設定変更の指示が入力された場合（ステップＳ１６；ＹＥＳ）、第１画像形成装置の制御部２５０Ａは、ジョブの設定変更の指示があることを示す設定変更通知を通信部２７を介して第２画像形成装置へ送信し（ステップＳ１６）、設定変更処理を実行し（ステップＳ１８）、ステップＳ１０の処理に戻る。
【０１０５】
一方、第２画像形成装置の制御部４５０Ａは、ステップＳ１４後、ジョブデータを参照して、全部数の書き込みが完了したか否かを判別する（ステップＳ１９）。全部数の書き込みが完了した場合（ステップＳ１９；ＹＥＳ）、第２画像形成装置の制御部４５０Ａは、本処理を終了する。
【０１０６】
全部数の書き込みが完了していない場合（ステップＳ１９；ＮＯ）、第２画像形成装置の制御部４５０Ａは、通信部４７を介して第１画像形成装置から設定変更通知を受信したか否かを判別する（ステップＳ２０）。設定変更通知を受信していない場合（ステップＳ２０；ＮＯ）、第２画像形成装置の制御部４５０Ａは、ステップＳ１１の処理へ戻る。
【０１０７】
設定変更通知を受信した場合（ステップＳ２０；ＹＥＳ）、第２画像形成装置の制御部４５０Ａは、設定変更処理を実行し（ステップＳ２１）、ステップＳ１１の処理に戻る。
【０１０８】
次に、図７を参照して、ステップＳ１８及びＳ２１において第１画像形成装置及び第２画像形成装置によって実行される設定変更処理を説明する。
【０１０９】
ステップＳ１６において、設定変更の指示が、ジョブ設定変更画面が表示された操作表示部により入力された場合、第１画像形成装置の制御部２５０Ａは、ジョブ設定変更画面が表示された操作表示部の操作信号に基づいてジョブに対する変更指示データを取得する。一方、ステップＳ１６において、設定変更の指示が、コントローラ２４を介して接続された外部装置２から入力された場合、第１画像形成装置のコントローラ制御部２４１Ａは、当該設定変更の指示に基づいてジョブに対する変更指示データ（例えば、変更されたプリント設定データ）を取得する（ステップＳ３１）。
【０１１０】
第１画像形成装置では、ステップＳ３１後、変更指示データに基づいて、ジョブの画像データを再度ＲＩＰ処理して再生成する必要があるか否かが判別される（ステップＳ３２）。ジョブ設定変更画面が表示された操作表示部により変更指示データが入力された場合には、第１画像形成装置の制御部２５０ＡがステップＳ３２の処理を実行し、変更指示データがコントローラ２４を介して接続された外部装置２から入力された場合には、コントローラ制御部２４１ＡがステップＳ３２の処理を実行する。
【０１１１】
ステップＳ３２の処理が第１画像形成装置の制御部２５０Ａにより実行された場合であって、ジョブの画像データを再度ＲＩＰ処理して生成する必要がない場合には（ステップＳ３２；ＮＯ）、第１画像形成装置の制御部２５０Ａは、変更指示データに基づいてＲＡＭ２５２、ＨＤＤ２６に記憶されているジョブデータを書き替え、当該変更指示データを通信部２７を介して第２画像形成装置へ送信し（ステップＳ３３）、本処理を終了してステップＳ１０の処理に戻る。
【０１１２】
また、ステップＳ３２の処理がコントローラ制御部２４１Ａにより実行されている場合であって、ジョブの画像データを再度ＲＩＰ処理して生成する必要がない場合には（ステップＳ３２；ＮＯ）、コントローラ制御部２４１Ａは、変更指示データに基づいてコントローラ記憶部２４２に記憶されているプリント設定データを書き替え、当該変更指示データを第１画像形成装置の制御部２５０Ａに送信する。第１画像形成装置の制御部２５０Ａは、コントローラ２４から受信した変更指示データに基づいて、ＲＡＭ２５２、ＨＤＤ２６に記憶されているジョブデータを書き替え、当該変更指示データを通信部２７を介して第２画像形成装置へ送信し（ステップＳ３３）、本処理を終了してステップＳ１０の処理に戻る。
【０１１３】
第２画像形成装置の制御部４５０Ａは、通信部４７を介して変更指示データを受信したか否かを判別し（ステップＳ３４）、変更指示データを受信した場合（ステップＳ３４；ＹＥＳ）、当該変更指示データに基づいてＲＡＭ４５２、ＨＤＤ４６に記憶されているジョブデータを変更し、変更したジョブデータに書き替えて記憶させ（ステップＳ３５）、本処理を終了してステップＳ１１の処理に戻る。
【０１１４】
ステップＳ３２の処理が第１画像形成装置の制御部２５０Ａにより実行された場合であって、ジョブの画像データを再度ＲＩＰ処理して生成する必要がある場合には（ステップＳ３２；ＹＥＳ）、第１画像形成装置の制御部２５０Ａは、変更指示データをコントローラ制御部２４１Ａへ送信する。コントローラ制御部２４１Ａは、受信した変更指示データに基づいてコントローラ記憶部２４２に記憶されているプリント設定データを変更して書き替える。そして、コントローラ制御部２４１Ａは、変更したプリント設定データに応じてコントローラ記憶部２４２に記憶されているプリントデータを再度展開してＲＩＰ処理を施して画像データを再生成し（再ＲＩＰ処理）、当該再生成した画像データをコントローラ記憶部２４２に上書きして記憶する（ステップＳ３６）。
【０１１５】
ステップＳ３２の処理がコントローラ制御部２４１Ａにより実行された場合であって、ジョブの画像データを再度ＲＩＰ処理して生成する必要がある場合には（ステップＳ３２；ＹＥＳ）、コントローラ制御部２４１Ａは、変更指示データに基づいてコントローラ記憶部２４２に記憶されているプリント設定データを変更して書き替える。そして、コントローラ制御部２４１Ａは、変更したプリント設定データに応じてコントローラ記憶部２４２に記憶されているプリントデータを再度展開してＲＩＰ処理を施して画像データを再生成し（再ＲＩＰ処理）、当該再生成した画像データをコントローラ記憶部２４２に上書きして記憶する（ステップＳ３６）。
コントローラ制御部２４１Ａは、再生成した画像データ及び変更したプリント設定データをＤＲＡＭ制御ＩＣ２４３により第１画像形成装置のＤＲＡＭ制御ＩＣ２５５を介して制御部２５０Ａへ送信する。
【０１１６】
ジョブの画像データを再度ＲＩＰ処理して生成する必要がある場合とは、例えば、モノクロ画像／カラー画像の変更、用紙の変更、濃度や色味の変更、コントローラ２４のキャリブレーションやγ補正の変更が生じた場合等である。
具体的には、画像データを再度ＲＩＰ処理して生成する必要がある場合とは、図８に示すジョブ設定変更画面Ｇ１において、例えば、カラーバランスボタンＢ１１ａが押下されてカラーバランスが変更された場合、光沢モードボタンＢ１１ｂが押下されて光沢モードのＯＮ／ＯＦＦが変更された場合、イメージスクリーンボタンＢ１２ａが押下されてイメージスクリーンのＯＮ／ＯＦＦが変更された場合、解像度ボタンＢ１２ｂが押下されて解像度が変更された場合、カラーボタンＢ１２ｃが押下されてフルカラーからモノクロへ変更された場合等である。
【０１１７】
第１画像形成装置の制御部２５０Ａは、コントローラ２４から再生成された画像データ及び変更されたプリント設定データを受信すると、受信した画像データを圧縮ＩＣ２５４により圧縮処理を施させ、圧縮画像データを生成させる。そして、生成された圧縮画像データを圧縮メモリ２５６ａへ記憶させる（ステップＳ３７）。
【０１１８】
また、第１画像形成装置の制御部２５０Ａは、変更されたプリント設定データ及び圧縮画像データに基づいてジョブデータを再生成し、ＲＡＭ２５２に記憶されているジョブデータを再生成したジョブデータに書き替えて記憶させる（ステップＳ３８）。
【０１１９】
更に、第１画像形成装置の制御部２５０Ａは、再生成したジョブデータ及び圧縮画像データからなるジョブが保存ジョブである場合、ＨＤＤ２６に記憶されているジョブデータ及び圧縮画像データを再生成したジョブデータ及び圧縮画像データに書き替えて記憶させる（ステップＳ３９）。
【０１２０】
そして、第１画像形成装置の制御部２５０Ａは、再生成したジョブデータ及び圧縮画像データを通信部２７を介して第２画像形成装置へ送信し（ステップＳ４０）、本処理を終了してステップＳ１０の処理に戻る。
【０１２１】
第２画像形成装置の制御部４５０Ａは、変更指示データを受信していない場合（ステップＳ３４；ＮＯ）、通信部４７を介してジョブデータ及び圧縮画像データを受信すると、ジョブデータをＲＡＭ４５２へ上書きして記憶させ、圧縮画像データを圧縮メモリ４５６ａへ上書きして記憶させる（ステップＳ４１）。
【０１２２】
更に、第２画像形成装置の制御部４５０Ａは、ジョブデータ及び圧縮画像データからなるジョブが保存ジョブである場合、当該ジョブデータ及び圧縮画像データをＨＤＤ４６へ上書きして記憶させ（ステップＳ４２）、本処理を終了してステップＳ１１の処理に戻る。
【０１２３】
図９に、本実施の形態１における保存ジョブの再プリント処理のフローチャートを示す。
第１画像形成装置の制御部２５０Ａは、操作表示部２２からＨＤＤ２６に記憶されている保存ジョブのうちいずれかを選択する操作信号が入力されると（ステップＳ５１）、選択された保存ジョブの識別データ（例えば、ファイル名、ジョブＩＤ等）を通信部２７を介して第２画像形成装置へ送信する（ステップＳ５２）。
【０１２４】
第２画像形成装置の制御部４５０Ａは、通信部４７を介して保存ジョブの識別データを受信する（ステップＳ５３）。
【０１２５】
第１画像形成装置の制御部２５０Ａは、選択された保存ジョブの識別データに応じてＨＤＤ２６から当該保存ジョブの圧縮画像データを圧縮メモリ２５６ａに読み出し（ステップＳ５４）、また、ＨＤＤ２６から当該保存ジョブのジョブデータをＲＡＭ２５２に読み出す（ステップＳ５５）。
【０１２６】
一方、第２画像形成装置の制御部４５０Ａは、受信した保存ジョブの識別データに応じてＨＤＤ４６から当該保存ジョブの圧縮画像データを圧縮メモリ４５６ａに読み出し（ステップＳ５６）、また、ＨＤＤ４６から当該保存ジョブのジョブデータをＲＡＭ４５２に読み出す（ステップＳ５７）。
【０１２７】
ステップＳ５８〜Ｓ６２は、ステップＳ１０〜Ｓ１４と同様の処理であるため、説明は省略する。
【０１２８】
第１画像形成装置の制御部２５０Ａは、ステップＳ６１後、ジョブデータを参照して、全部数の書き込みが完了したか否かを判別する（ステップＳ６３）。全部数の書き込みが完了していない場合（ステップＳ６３；ＮＯ）、第１画像形成装置の制御部２５０Ａは、ステップＳ５８の処理に戻り、全部数の書き込みが完了した場合（ステップＳ６３；ＹＥＳ）、第１画像形成装置の制御部２５０Ａは、本処理を終了する。
【０１２９】
第２画像形成装置の制御部４５０Ａは、ステップＳ６２後、ジョブデータを参照して、全部数の書き込みが完了したか否かを判別する（ステップＳ６４）。全部数の書き込みが完了していない場合（ステップＳ６４；ＮＯ）、第２画像形成装置の制御部４５０Ａは、ステップＳ５９の処理に戻り、全部数の書き込みが完了した場合（ステップＳ６４；ＹＥＳ）、第２画像形成装置の制御部４５０Ａは、本処理を終了する。
【０１３０】
図１０に、本実施の形態１におけるオーバーレイ画像登録処理のフローチャートを示す。
第１画像形成装置の制御部２５０Ａは、登録オーバーレイモードを選択する操作信号が操作表示部２２から入力されると（ステップＳ７１）、画像読取部２１により原稿の画像を読み取らせ、画像データを取得する（ステップＳ７２）。
【０１３１】
第１画像形成装置の制御部２５０Ａは、取得した画像データに対して圧縮ＩＣ２５４により圧縮処理を施させ、圧縮画像データを生成させる（ステップＳ７３）。そして、制御部２５０Ａは、生成された圧縮画像データをオーバーレイ画像データとしてＨＤＤ２６へ記憶させ、登録する（ステップＳ７４）。
【０１３２】
また、第１画像形成装置の制御部２５０Ａは、ステップＳ７３において生成された圧縮画像データを通信部２７を介して第２画像形成装置へ送信する（ステップＳ７５）。
【０１３３】
第２画像形成装置の制御部４５０Ａは、通信部４７を介して圧縮画像データを受信すると（ステップＳ７６）、圧縮画像データをオーバーレイ画像データとしてＨＤＤ４６へ記憶させ、登録する（ステップＳ７７）。
【０１３４】
図１１に、本実施の形態１におけるバックアップ処理のフローチャートを示す。
第１画像形成装置の制御部２５０Ａ及び第２画像形成装置の制御部４５０Ａは、画像形成システム１の電源がＯＮされることにより自装置に電力が供給されると、自装置の各部の状態確認を行う（ステップＳ８１）。
【０１３５】
第２画像形成装置の制御部４５０Ａは、自装置に設けられたＨＤＤ４６に異常があるか否かを判別する（ステップＳ８２）。ステップＳ８２におけるＨＤＤの異常とは、例えば、ＨＤＤ４６に記憶されているデータの消失、欠落や破損、ＨＤＤ４６の破損等による交換が発生した場合などである。
【０１３６】
自装置に設けられたＨＤＤ４６に異常がない場合（ステップＳ８２；ＮＯ）、第２画像形成装置の制御部４５０Ａは、ステップＳ９２の処理に進む。
【０１３７】
自装置に設けられたＨＤＤ４６に異常がある場合（ステップＳ８２；ＹＥＳ）、第２画像形成装置の制御部４５０Ａは、ＨＤＤ４６の状態（正常／異常）を示す状態通知を通信部４７を介して第１画像形成装置へ送信する（ステップＳ８３）。
【０１３８】
一方、第１画像形成装置の制御部２５０Ａは、自装置に設けられたＨＤＤ２６に異常があるか否かをチェックすると共に、第２画像形成装置から通信部２７を介して受信した状態通知により第２画像形成装置のＨＤＤ４６に異常があるか否かをチェックし、第１画像形成装置のＨＤＤ２６又は第２画像形成装置のＨＤＤ４６の少なくともいずれか一方に異常があるか否かを判別する（ステップＳ８４）。
【０１３９】
第１画像形成装置のＨＤＤ２６及び第２画像形成装置のＨＤＤ４６に異常がない場合（ステップＳ８４；ＮＯ）、第１画像形成装置の制御部２５０Ａは、ステップＳ９７の処理に進む。
【０１４０】
第１画像形成装置のＨＤＤ２６又は第２画像形成装置のＨＤＤ４６の少なくとも一方に異常がある場合（ステップＳ８４；ＹＥＳ）、第１画像形成装置の制御部２５０Ａは、操作表示部２２にＨＤＤ異常報知画面を表示させる（ステップＳ８５）。
ＨＤＤ異常報知画面には、第１画像形成装置のＨＤＤ２６又は第２画像形成装置のＨＤＤ４６の少なくとも一方に異常がある旨を報知するメッセージや画像が表示される。また、ＨＤＤ異常報知画面の表示と共に警報音等を発報させたりしてもよい。
【０１４１】
そして、第１画像形成装置の制御部２５０Ａは、第１画像形成装置のＨＤＤ２６と第２画像形成装置のＨＤＤ４６のうちどちらに異常があるかを判別する（ステップＳ８６）。
【０１４２】
第２画像形成装置のＨＤＤ４６に異常がある場合（ステップＳ８６；ＮＯ）、第１画像形成装置の制御部２５０Ａは、自装置のＨＤＤ２６に記憶されている全てのデータを読み出し（ステップＳ８７）、当該読み出したデータのコピーを通信部２７を介して第２画像形成装置へ送信する（ステップＳ８８）。
【０１４３】
第２画像形成装置の制御部４５０Ａは、通信部４７を介して第１画像形成装置からデータを受信すると、受信したデータを自装置のＨＤＤ４６内のデータに上書きして記憶させる（ステップＳ８９）。そして、第２画像形成装置の制御部４５０Ａは、再度、自装置に設けられたＨＤＤ２６に異常があるか否かをチェックし、ＨＤＤ４６の状態通知を通信部４７を介して第１画像形成装置へ送信する（ステップＳ９０）。
【０１４４】
一方、第１画像形成装置のＨＤＤ２６に異常がある場合（ステップＳ８６；ＹＥＳ）、第１画像形成装置の制御部２５０Ａは、ＨＤＤ２６に異常がある旨を示す異常通知を通信部２７を介して第２画像形成装置へ送信する（ステップＳ９１）。
【０１４５】
第２画像形成装置の制御部４５０Ａは、第１画像形成装置のＨＤＤ２６に異常があるか否かを判別する（ステップＳ９２）。ステップＳ９２では、第１画像形成装置から通信部４７を介して異常通知を受信したか否かに基づいて判別される。
【０１４６】
第１画像形成装置のＨＤＤ２６に異常がない場合、即ち、第１画像形成装置から異常通知を受信しない場合（ステップＳ９２；ＮＯ）、第２画像形成装置の制御部４５０Ａは、ステップＳ９９の処理に進む。
【０１４７】
第１画像形成装置のＨＤＤ２６に異常がある場合、即ち、第１画像形成装置から異常通知を受信した場合（ステップＳ９２；ＹＥＳ）、第２画像形成装置の制御部４５０Ａは、自装置のＨＤＤ４６に記憶されている全てのデータを読み出し（ステップＳ９３）、当該読み出したデータのコピーを通信部４７を介して第１画像形成装置へ送信する（ステップＳ９４）。
【０１４８】
第１画像形成装置の制御部２５０Ａは、通信部２７を介して第２画像形成装置からデータを受信すると、受信したデータを自装置のＨＤＤ２６内のデータに上書きして記憶させる（ステップＳ９５）。
【０１４９】
そして、第１画像形成装置の制御部２５０Ａは、再度、ステップＳ８４の処理と同様に、第１画像形成装置のＨＤＤ２６又は第２画像形成装置のＨＤＤ４６の少なくともいずれか一方に異常があるか否かを判別する（ステップＳ９６）。
【０１５０】
第１画像形成装置のＨＤＤ２６又は第２画像形成装置のＨＤＤ４６の少なくともいずれか一方に異常がある場合（ステップＳ９６；ＹＥＳ）、第１画像形成装置の制御部２５０Ａは、操作表示部にＨＤＤ異常報知画面を表示した状態を維持したまま、本処理を終了する。
【０１５１】
第１画像形成装置のＨＤＤ２６及び第２画像形成装置のＨＤＤ４６に異常がない場合（ステップＳ９６；ＮＯ）、又は、ステップＳ８４；ＮＯ後、第１画像形成装置の制御部２５０Ａは、第１画像形成装置の各部を起動させ（ステップＳ９７）、起動通知を通信部２７を介して第２画像形成装置へ送信し（ステップ９８）、本処理を終了する。
【０１５２】
第２画像形成装置の制御部２５０Ａは、通信部４７を介して第１画像形成装置から起動通知を受信したか否かを判別する（ステップＳ９９）。起動通知を受信していない場合（ステップＳ９９；ＮＯ）、第２画像形成装置の制御部２５０Ａは、本処理を終了する。
【０１５３】
起動通知を受信した場合（ステップＳ９９；ＹＥＳ）、第２画像形成装置の制御部４５０Ａは、第２画像形成装置の各部を起動させ（ステップＳ１００）、本処理を終了する。
【０１５４】
なお、図１１を用いて説明したバックアップ処理では、画像形成システム１の電源ＯＮ時におけるバックアップ処理を説明したが、これに限らない。例えば、第１画像形成装置又は第２画像形成装置のいずれか一方のＨＤＤに異常が発生した場合や、ユーザによる操作表示部２２の操作によってバックアップ画面を表示させ、当該バックアップ画面が表示された操作表示部２２からの操作信号に応じて、一方の画像形成装置のＨＤＤのデータをコピーして他方の画像形成装置のＨＤＤに上書きしてもよい。バックアップ画面を用いた例については、図１２を用いて説明する。
【０１５５】
図１２に、バックアップ画面の例を示す。
図１２に示すバックアップ画面Ｇ２には、第１スタートボタンＢ２１と、第２スタートボタンＢ２２とが設けられている。
第１スタートボタンＢ２１は、第１画像形成装置のＨＤＤのデータを第２画像形成装置のＨＤＤに上書きして記憶することを指示するボタンである。
第２スタートボタンＢ２２は、第２画像形成装置のＨＤＤのデータを第１画像形成装置のＨＤＤに上書きして記憶することを指示するボタンである。
【０１５６】
第１スタートボタンＢ２１が押下された場合には、図１１に示すステップＳ８６；ＮＯ以降の処理が実行され、また、第２スタートボタンＢ２２が押下された場合には、図１１に示すステップＳ８６；ＹＥＳ以降の処理が実行されることとなるため、説明は省略する。
【０１５７】
以上のように、本実施の形態１によれば、第１画像形成装置及び第２画像形成装置それぞれには、ジョブの全ページに係るジョブデータ及び画像データを記憶する記憶部（ＲＡＭ及び圧縮画像メモリ、又は、ＨＤＤ）が備えられており、ジョブを再実行する際には、各画像形成装置は、記憶部に記憶されているジョブデータ及び画像データに基づいて行うことができるため、複数の画像形成装置を備えるタンデム構成の画像形成システムにおいて、ジョブを再実行する際の画像形成に係るデータの転送による印刷遅延を防止でき、生産性を向上させることができる。
【０１５８】
また、第１画像形成装置の制御部２５０Ａは、コントローラ制御部２４１Ａにより生成された画像データ及びプリント設定データに基づいて生成したジョブデータ及び画像データを第２画像形成装置へ送信することができる。そのため、第２画像形成装置の制御部４５０Ａにおいてジョブデータ及び画像データを生成する必要がなく、第２画像形成装置の制御部４５０Ａの制御負荷を低減させることができる。
【０１５９】
更に、ジョブの初回実行時において、第１画像形成装置及び第２画像形成装置それぞれの記憶部に当該ジョブのジョブデータ及び画像データを記憶させることができる。
【０１６０】
また、ジョブが保存ジョブの場合には、第１画像形成装置及び第２画像形成装置が当該保存ジョブのジョブデータ及び画像データを保持することができる。
【０１６１】
また、操作表示部２２からジョブに対する変更指示データが入力された場合であっても、画像データの再生成が不要（再ＲＩＰ不要）の場合には、変更指示データのみを第２画像形成装置に送信することにより、ジョブ変更時における画像形成に係るデータの転送量を軽減できるため、データの転送による印刷遅延を低減でき、生産性を向上させることができる。第１画像形成装置と第２画像形成装置とで、担当する印刷面に印字する画像が変更されても、データを再度転送する必要が無く、生産性を向上させる事ができる。
【０１６２】
外部装置からコントローラ２４を介してジョブに対する変更指示データが入力された場合であっても、画像データの再生成が不要（再ＲＩＰ不要）の場合には、変更指示データのみをコントローラ２４が設けられていない第２画像形成装置に送信することにより、ジョブ変更時における画像形成に係るデータの転送量を軽減できるため、データの転送による印刷遅延を低減でき、生産性を向上させることができる。
【０１６３】
更に、第１画像形成装置及び第２画像形成装置が、共通のオーバーレイ画像データをそれぞれのＨＤＤに保持することができるため、当該オーバーレイ画像データを用いた画像合成処理（オーバーレイ）を実行する際に用いるオーバーレイ画像データの転送時間を省くことができる。
【０１６４】
また、自装置のＨＤＤに異常が発生した場合には、他の画像形成装置のＨＤＤのデータをバックアップデータとして用いて、自装置のＨＤＤのデータを容易に復旧することができるため、上記の効果を担保できる。
【０１６５】
また、本実施の形態１により、保存ジョブの実行、ジョブの初回実行後に実行される当該ジョブの実行（リプリント）、記ジョブの少なくとも一部を実行する仮実行の後に実行される当該ジョブの本実行、ジョブの設定情報の変更を行うことを前提に実行されるジョブ（プルーフ）の実行の後に実行される当該ジョブの実行、の際のデータの転送処理を実行する必要が無く、生産性を向上させることができる。
【０１６６】
また、本実施の形態１により、両面モードのジョブを実行する場合には、用紙の一方の面と他方の面とを異なる画像形成装置によって画像形成させることができる。
【０１６７】
［実施の形態２］
以下、図を参照して本発明の実施の形態２を詳細に説明する。
まず、構成を説明する。
本実施の形態２における画像形成システムは、図１に示す実施の形態１の画像形成システムを構成する第１画像形成装置２０Ａに替えて第１画像形成装置２０Ｂ、第２画像形成装置４０Ａに替えて第２画像形成装置４０Ｂが備えられていること以外は、実施の形態１の画像形成システムと同様の装置を備えた直列タンデム構成となっている。そのため、実施の形態１と同様の装置の説明は省略する。
【０１６８】
図１３に、本実施の形態２における第１画像形成装置２０Ｂの概略構成図を示す。
本実施の形態２における第１画像形成装置２０Ｂは、実施の形態１における第１画像形成装置２０Ａと同様に画像読取部２１、操作表示部２２、プリント部２３、コントローラ２４、画像制御基板２５、ＨＤＤ２６、通信部２７等を備えて構成されている。第１画像形成装置２０Ｂは、コントローラ２４のＬＡＮＩＦ２４５を介してネットワーク３上の外部装置２、第２画像形成装置４０Ｂと相互にデータが送受信可能に接続されている。
【０１６９】
以下、本実施の形態２における第１画像形成装置２０Ｂにおいて、実施の形態１における第１画像形成装置２０Ａと異なる部分のみ説明し、同様の部分には同様の符号を付して説明は省略する。
【０１７０】
コントローラ制御部２４１Ｂは、コントローラ２４各部の動作を統括的に制御し、送受信部として機能ＬＡＮＩＦ２４５を介して外部装置２から入力されるプリントデータ及びプリント設定データを自装置が有するコントローラ記憶部２４２へ記憶すると共に、当該プリントデータ及びプリント設定データをネットワーク３を介して第２画像形成装置４０Ｂへ送信する。
また、コントローラ制御部２４１Ｂは、プリントデータを展開してビットマップ形式の画像データの生成を行う。
【０１７１】
制御部２５０Ｂは、ＣＰＵ等から構成され、不揮発メモリ２５１に格納されているシステムプログラム及び各種アプリケーションプログラムの中から指定されたプログラムを読み出してＲＡＭ２５２に展開し、ＲＡＭ２５２に展開されたプログラムとの協働で、各種処理を実行し、第１画像形成装置２０Ｂの各部を集中制御する。
【０１７２】
また、制御部２５０Ｂは、不揮発メモリ２５１から本実施の形態２に係る初回プリント処理プログラムと、プリント設定変更処理プログラムと、再プリント処理プログラムと、オーバーレイ画像登録処理プログラムと、バックアップ処理プログラムと、当該プログラム及び各種データとの協働により、初回プリント処理、プリント設定変更処理、再プリント処理、オーバーレイ画像登録処理、バックアップ処理を第２画像形成装置４０Ｂと協働して実行する。
【０１７３】
初回プリント処理では、外部装置２からコントローラ２４を介して受信されたプリントデータ及びプリント設定データ、又は、画像読取部２１から入力された画像データ及び操作表示部２２により設定された設定情報が、第２画像形成装置４０Ｂへ送信される。また、初回プリント処理では、プリントデータ及びプリント設定データ、又は、画像データ及び設定情報に基づいてジョブデータ及び圧縮画像データが生成され、当該ジョブデータ及び圧縮画像データに基づいて、第２画像形成装置４０Ｂと協働してジョブが実行される。
なお、ジョブ及びジョブデータについては、実施の形態１と同様であるため、図示及び説明は省略する。
【０１７４】
プリント設定変更処理は、初回プリント処理の後に実行される処理である。プリント設定変更処理では、ジョブに対する変更指示データがコントローラ２４又は操作表示部２２から入力された場合、当該変更指示データが第２画像形成装置４０Ｂへ送信される。また、プリント設定変更処理では、変更指示データによって画像データの再生成が必要か否かが判別され、当該判別結果に応じて、変更指示データに基づいて画像データが再生成され、ジョブデータが変更される。そして、変更されたジョブデータ及び圧縮画像データに基づいて、第２画像形成装置４０Ｂと協働してジョブが再実行される。
【０１７５】
再プリント処理、オーバーレイ画像登録処理、バックアップ処理は、実施の形態１と同様である。
【０１７６】
図１４に、本実施の形態２における第２画像形成装置４０Ｂの概略構成図を示す。
図１４に示すように、第２画像形成装置４０Ｂは、プリント部４３、コントローラ４４、画像制御基板４５、ＨＤＤ４６、通信部４７等を備えて構成されている。第２画像形成装置４０Ｂは、コントローラ４４のＬＡＮＩＦ４４５を介してネットワーク３上の外部装置２、第１画像形成装置２０Ｂと相互にデータが送受信可能に接続されている。
【０１７７】
以下、本実施の形態２における第２画像形成装置４０Ｂにおいて、実施の形態１における第２画像形成装置４０Ａと異なる部分のみ説明し、同様の部分には同様の符号を付して説明は省略する。
【０１７８】
コントローラ４４は、ネットワーク３に接続される外部装置２等から画像形成システム１に入力されるデータの管理及び制御を行うものであり、ネットワークに接続された各種装置からプリント対象のデータ（プリントデータ及びプリント設定データ）を受信し、当該プリントデータを展開して生成した画像データとプリント設定データとを画像制御基板４５へ送信する。コントローラ４４は、コントローラ制御部４４１、コントローラ記憶部４４２、ＤＲＡＭ制御ＩＣ４４３、画像メモリ４４４、ＬＡＮＩＦ４４５等から構成される。
【０１７９】
コントローラ制御部４４１は、コントローラ４４各部の動作を統括的に制御し、ＬＡＮＩＦ４４５を介して第１画像形成装置２０Ｂから入力されるプリントデータ及びプリント設定データを自装置が有するコントローラ記憶部４４２への記憶や、当該プリントデータを展開してビットマップ形式の画像データの生成を行う。
【０１８０】
なお、コントローラ制御部４４１は、ＬＡＮＩＦ４４５を介して外部装置２から入力されるプリントデータ及びプリント設定データを自装置が有するコントローラ記憶部４４２へ記憶すると共に、当該プリントデータ及びプリント設定データをネットワーク３を介して第１画像形成装置２０Ｂへ送信する機能を有してもよい。
【０１８１】
コントローラ記憶部４４２は、不揮発性のメモリにより構成されており、プリントデータ及びプリント設定データを記憶する。
【０１８２】
ＤＲＡＭ制御ＩＣ４４３、画像メモリ４４４、送受信部として機能するＬＡＮＩＦ４４５は、実施の形態１の第１画像形成装置２０Ａが備えるコントローラ２４のＤＲＡＭ制御ＩＣ２４３、画像メモリ２４４、ＬＡＮＩＦ２４５と同様であるため、説明は省略する。
【０１８３】
画像制御基板４５は、制御部４５０Ｂ、不揮発メモリ４５１、ＲＡＭ４５２、圧縮ＩＣ４５４、ＤＲＡＭ制御ＩＣ４５５、画像メモリ４５６、伸長ＩＣ４５７、書込処理部４５８等を備える。
【０１８４】
制御部４５０Ｂは、ＣＰＵ等から構成され、不揮発メモリ４５１に格納されているシステムプログラム及び各種アプリケーションプログラムの中から指定されたプログラムを読み出してＲＡＭ４５２に展開し、ＲＡＭ４５２に展開されたプログラムとの協働で、各種処理を実行し、第２画像形成装置４０Ａの各部を集中制御する。
【０１８５】
また、制御部４５０Ｂは、不揮発メモリ４５１から本実施の形態２に係る初回プリント処理プログラムと、プリント設定変更処理プログラムと、再プリント処理プログラムと、オーバーレイ画像登録処理プログラムと、バックアップ処理プログラム及び各種データとの協働により、初回プリント処理、プリント設定変更処理、再プリント処理、オーバーレイ画像登録処理、バックアップ処理を第１画像形成装置２０Ｂと協働して実行する。
【０１８６】
初回プリント処理では、第１画像形成装置２０Ｂから受信したプリントデータ及びプリント設定データ、又は、画像データ及び設定情報に基づいてジョブデータ及び圧縮画像データが生成され、当該ジョブデータ及び圧縮画像データに基づいて、第１画像形成装置２０Ｂと協働してジョブが実行される。
【０１８７】
プリント設定変更処理では、第１画像形成装置２０Ｂから変更指示データを受信した場合には、当該変更指示データによって画像データの再生成が必要か否かが判別され、当該判別結果に応じて、変更指示データに基づいて画像データが再生成され、また、ジョブデータが変更され、書き替えられる。そして、変更されたジョブデータ及び圧縮画像データに基づいて、第１画像形成装置２０Ｂと協働してジョブが再実行される。
【０１８８】
再プリント処理、オーバーレイ画像登録処理、バックアップ処理は、実施の形態１と同様である。
【０１８９】
次に、本実施の形態２の動作を説明する。
図１５、図１６に、本実施の形態２における初回プリント処理及びプリント設定変更処理のフローチャートを示す。
【０１９０】
第１画像形成装置のコントローラ制御部２４１Ｂは、ネットワーク３を介して接続された外部装置２からプリントデータ及びプリント設定データをＬＡＮＩＦ２４５により受信すると（ステップＳ１０１）、受信したプリントデータ及びプリント設定データをＬＡＮＩＦ２４５を介して第２画像形成装置４０Ｂへ送信する（ステップＳ１０２）。
【０１９１】
第１画像形成装置のコントローラ制御部２４１Ｂが実行するステップＳ１０３、Ｓ１０４は、実施の形態１の第１画像形成装置のコントローラ制御部２４１Ａが実行するステップＳ２、Ｓ３と同様であるため、説明は省略する。
【０１９２】
一方、第２画像形成装置のコントローラ制御部４４１は、ネットワーク３を介して接続された第１画像形成装置２０Ｂからプリントデータ及びプリント設定データをＬＡＮＩＦ４４５により受信する（ステップＳ１０５）。
【０１９３】
第２画像形成装置のコントローラ制御部４４１も第１画像形成装置のコントローラ制御部２４１Ｂと同様に、受信したプリントデータ及びプリント設定データをコントローラ記憶部４４２に記憶させ（ステップＳ１０６）、また、プリントデータを展開してＲＩＰ処理を施して画像データを生成する（ステップＳ１０７）。
そして、コントローラ制御部４４１は、ＤＲＡＭ制御ＩＣ４４３により、画像データ及びプリント設定データを第２画像形成装置のＤＲＡＭ制御ＩＣ４５５を介して制御部４５０Ｂへ送信する。
【０１９４】
なお、画像読取部２１によりアナログ信号の画像データが得られた場合には、ステップＳ１０１〜１０７の処理に替えて、読取処理部２５３によりアナログ信号の画像データから生成された画像データ及び当該アナログ信号の画像データが取得された際に操作表示部２２により設定された設定情報が第１画像形成装置の制御部２５０Ｂに入力され、そして、当該画像データ及び設定情報が通信部２７を介して第２画像形成装置へ送信される。
この場合、アナログ信号の画像データにより生成された画像データがプリントデータにより生成された画像データに相当し、設定情報がプリント設定データに相当する。
画像読取部及び操作表示部から画像データ及び設定情報が制御部２５０Ｂに入力された場合のステップＳ１０８以下の処理は、コントローラから画像データ及びプリント設定データが制御部２５０Ｂ、４５０Ｂにそれぞれ入力された場合と同様であるため、コントローラから画像データ及びプリント設定データが制御部２５０Ｂ、４５０Ｂに入力された場合について説明する。
【０１９５】
第１画像形成装置の制御部２５０Ｂは、コントローラ２４から画像データ及びプリント設定データを受信すると、ステップＳ１０８〜Ｓ１１０の処理を実行する。ステップＳ１０８〜Ｓ１１０は、実施の形態１の第１画像形成装置の制御部２５０Ａが実行するステップＳ４〜６と同様であるため、説明は省略する。
【０１９６】
第２画像形成装置の制御部４５０Ｂも第１画像形成装置の制御部２５０Ｂと同様に、コントローラ４４から画像データ及びプリント設定データを受信すると、受信した全ての画像データに対して圧縮ＩＣ４５４により圧縮処理を施させ、圧縮画像データを生成させる。そして、制御部４５０Ｂは、生成された圧縮画像データを圧縮メモリ４５６ａへ記憶させる（ステップＳ１１１）。
【０１９７】
また、第２画像形成装置の制御部４５０Ｂは、プリント設定データ及び圧縮画像データに基づくジョブの全ページに係るジョブデータを生成し、生成したジョブデータをＲＡＭ４５２へ記憶させる（ステップＳ１１２）。
【０１９８】
更に、第２画像形成装置の制御部４５０Ｂは、ジョブデータ及び圧縮画像データからなるジョブが保存ジョブである場合、当該保存ジョブの全ページに係るジョブデータ及び圧縮画像データをＨＤＤ４６へ記憶させる（ステップＳ１１３）。
【０１９９】
第１画像形成装置の制御部２５０Ｂは、ジョブデータに基づいて形成される画像リストを参照して、自装置（第１画像形成装置）でプリントする印刷面のページ（例えば、奇数ページ）の圧縮画像データを圧縮メモリ２５６ａから読み出し、伸長ＩＣ２５７により伸長処理を施してページメモリ２５６ｂに記憶させる（Ｓ１１４）。また、第２画像形成装置の制御部４５０Ｂも第１画像形成装置の制御部２５０Ｂと同様に、ジョブデータに基づいて形成される画像リストを参照して、自装置（第２画像形成装置）でプリントする印刷面のページ（例えば、偶数ページ）の圧縮画像データを圧縮メモリ４５６ａから読み出し、伸長ＩＣ４５７により伸長処理を施してページメモリ４５６ｂに記憶させる（ステップＳ１１５）。
なお、ステップＳ１１４、Ｓ１１５において、ジョブデータにオーバーレイが設定されている場合の処理は、実施の形態１と同様であるため、説明は省略する。
【０２００】
ステップＳ１１６〜Ｓ１２５の処理は、実施の形態１のステップＳ１２〜Ｓ２１と同様であるため、説明は省略する。
【０２０１】
次に、図１６を参照して、ステップＳ１２２及びＳ１２５において第１画像形成装置及び第２画像形成装置によって実行される設定変更処理を説明する。
【０２０２】
ステップＳ１２０において、設定変更の指示が、ジョブ設定変更画面が表示された操作表示部により入力された場合、第１画像形成装置の制御部２５０Ｂは、ジョブ設定変更画面が表示された操作表示部の操作信号に基づいてジョブに対する変更指示データを取得する。一方、ステップＳ１２０において、設定変更の指示が、コントローラ２４を介して接続された外部装置２から入力された場合、第１画像形成装置のコントローラ制御部２４１Ｂは、当該設定変更の指示に基づいてジョブに対する変更指示データ（例えば、変更されたプリント設定データ）を取得する（ステップＳ１３１）。
【０２０３】
第１画像形成装置は、取得した変更指示データを第２画像形成装置へ転送する（ステップＳ１３２）。ステップＳ１３２では、変更指示データが、ジョブ設定変更画面が表示された操作表示部の操作信号に基づいて取得された場合には、制御部２５０Ｂが通信部２７を介して当該変更指示データを第２画像形成装置へ送信する。また、変更指示データが、外部装置２から入力されたプリント設定データ等に基づいて取得された場合には、コントローラ制御部２４１ＢがＬＡＮＩＦ２４５を介して変更指示データを第２画像形成装置へ送信する。
【０２０４】
第２画像形成装置は、第１画像形成装置から変更指示データを受信する（ステップＳ１３３）。ステップＳ１３３では、通信部４７を介して制御部２５０Ｂが変更指示データを受信、又は、ＬＡＮＩＦ４４５を介してコントローラ制御部４４１が変更指示データを受信する。
【０２０５】
第１画像形成装置では、ステップＳ１３２後、変更指示データに基づいて、ジョブの画像データを再度ＲＩＰ処理して再生成する必要があるか否かが判別される（ステップＳ１３４）。変更指示データがジョブ設定変更画面が表示された操作表示部により入力された場合には、第１画像形成装置の制御部２５０ＢがステップＳ１３４の処理を実行し、変更指示データがコントローラ２４を介して接続された外部装置２から入力された場合には、コントローラ制御部２４１ＢがステップＳ１３４の処理を実行する。
【０２０６】
ステップＳ１３４の処理が第１画像形成装置の制御部２５０Ｂにより実行された場合であって、ジョブの画像データを再度ＲＩＰ処理して生成する必要がない場合には（ステップＳ１３４；ＮＯ）、第１画像形成装置の制御部２５０Ｂは、変更指示データに基づいてＲＡＭ２５２、ＨＤＤ２６に記憶されているジョブデータを書き替え（ステップＳ１３５）、本処理を終了してステップＳ１１４の処理に戻る。
【０２０７】
また、ステップＳ１３４の処理がコントローラ制御部２４１Ｂにより実行された場合であって、ジョブの画像データを再度ＲＩＰ処理して生成する必要がない場合には（ステップＳ１３４；ＮＯ）、コントローラ制御部２４１Ｂは、変更指示データに基づいてコントローラ記憶部２４２に記憶されているプリント設定データを書き替え、当該変更指示データを第１画像形成装置の制御部２５０Ｂに送信する。第１画像形成装置の制御部２５０Ｂは、コントローラ２４から受信した変更指示データに基づいて、ＲＡＭ２５２、ＨＤＤ２６に記憶されているジョブデータを変更し、変更したジョブデータに書き替えて記憶させ（ステップＳ１３５）、本処理を終了してステップＳ１１４の処理に戻る。
【０２０８】
ステップＳ１３４の処理が第１画像形成装置の制御部２５０Ｂにより実行された場合であって、ジョブの画像データを再度ＲＩＰ処理して生成する必要がある場合には（ステップＳ１３４；ＹＥＳ）、第１画像形成装置の制御部２５０Ｂは、変更指示データをコントローラ制御部２４１Ｂへ送信する。コントローラ制御部２４１Ｂは、受信した変更指示データに基づいてコントローラ記憶部２４２に記憶されているプリント設定データを変更して書き替える。そして、コントローラ制御部２４１Ｂは、変更したプリント設定データに応じてコントローラ記憶部２４２に記憶されているプリントデータを再度展開してＲＩＰ処理を施して画像データを再生成し（再ＲＩＰ処理）、当該再生成した画像データをコントローラ記憶部２４２に上書きして記憶する（ステップＳ１３６）。
【０２０９】
ステップＳ１３４の処理がコントローラ制御部２４１Ｂにより実行された場合であって、ジョブの画像データを再度ＲＩＰ処理して生成する必要がある場合には（ステップＳ１３４；ＹＥＳ）、コントローラ制御部２４１Ｂは、変更指示データに基づいてコントローラ記憶部２４２に記憶されているプリント設定データを変更して書き替える。そして、コントローラ制御部２４１Ｂは、変更したプリント設定データに応じてコントローラ記憶部２４２に記憶されているプリントデータを再度展開してＲＩＰ処理を施して画像データを再生成し（再ＲＩＰ処理）、当該再生成した画像データをコントローラ記憶部２４２に上書きして記憶する（ステップＳ１３６）。
コントローラ制御部２４１Ｂは、再生成した画像データ及び変更したプリント設定データをＤＲＡＭ制御ＩＣ２４３により第１画像形成装置のＤＲＡＭ制御ＩＣ２５５を介して制御部２５０Ｂへ送信する。
【０２１０】
なお、ジョブの画像データを再度ＲＩＰ処理して再生成する必要がある場合についての説明は、実施の形態１と同様であるため、図示及び説明は省略する。
【０２１１】
第１画像形成装置の制御部２５０Ｂは、コントローラ２４から再生成された画像データ及び変更されたプリント設定データを受信すると、受信した画像データを圧縮ＩＣ２５４により圧縮処理を施させ、圧縮画像データを生成させる。そして、生成された圧縮画像データを圧縮メモリ２５６ａへ記憶させる（ステップＳ１３７）。
【０２１２】
また、第１画像形成装置の制御部２５０Ｂは、変更されたプリント設定データ及び圧縮画像データに基づいてジョブデータを再度生成し、ＲＡＭ２５２に記憶されているジョブデータを再度生成したジョブデータに書き替えて記憶させる（ステップＳ１３８）。
【０２１３】
更に、第１画像形成装置の制御部２５０Ｂは、ジョブデータ及び圧縮画像データからなるジョブが保存ジョブである場合、ＨＤＤ２６に記憶されているジョブデータ及び圧縮画像データを再度生成したジョブデータ及び圧縮画像データに書き替えて記憶させ（ステップＳ１３９）、本処理を終了してステップＳ１１５の処理に戻る。
【０２１４】
第２画像形成装置では、ステップＳ１３３後、ステップＳ１４０〜Ｓ１４５の処理が実行される。ステップＳ１４０〜Ｓ１４５の処理は、第１画像形成装置でのステップＳ１３４〜Ｓ１３９と同様であり、第２画像形成装置の制御部４５０Ｂが第１画像形成装置の制御部２５０Ｂ、第２画像形成装置のコントローラ制御部４４１が第１画像形成装置のコントローラ制御部２４１Ｂ、の処理を実行するため、説明は省略する。
【０２１５】
本実施の形態２における保存ジョブの再プリント処理、オーバーレイ画像登録処理、バックアップ処理は、実施の形態１と同様であるため、図示及び説明は省略する。
【０２１６】
以上のように、本実施の形態２によれば、第１画像形成装置及び第２画像形成装置それぞれには、ジョブの全ページに係るジョブデータ及び画像データを記憶する記憶部（ＲＡＭ、圧縮画像メモリ、ＨＤＤ）が備えられており、ジョブを再実行する際には、各画像形成装置は、記憶部に記憶されているジョブデータ及び画像データに基づいて行うことができるため、複数の画像形成装置を備えるタンデム構成の画像形成システムにおいて、ジョブを再実行する際の画像形成に係るデータの転送による印刷遅延を防止でき、生産性を向上させることができる。
【０２１７】
コントローラが第１画像形成装置及び第２画像形成装置それぞれに設けられている本実施の形態２では、プリントデータ及びプリント設定データを外部装置から送受信部により受信したコントローラは、受信したプリントデータ及びプリント設定データを他のコントローラへ送信することができるため、各コントローラがプリントデータ及びプリント設定データを保持することができる。そのため、ジョブの画像データの変更があったとしても、ジョブの画像データを再生成するために必要なプリントデータ及びプリント設定データの再送が不要となる。
【０２１８】
また、変更指示データを受信したコントローラは、他のコントローラへ当該変更指示データを送信することができるため、第１画像形成装置及び第２画像形成装置では、変更指示データに基づいてジョブのジョブデータ及び画像データをそれぞれ変更することができ、ジョブの変更時における画像形成に係るデータの転送量を軽減できるため、データの転送による印刷遅延を低減でき、生産性を向上させることができる。
【０２１９】
また、操作表示部２２からジョブに対する変更指示データが入力された場合であっても、画像データの再生成が不要（再ＲＩＰ不要）の場合には、変更指示データのみを第２画像形成装置に送信することにより、ジョブ変更時における画像形成に係るデータの転送量を軽減できるため、データの転送による印刷遅延を低減でき、生産性を向上させることができる。
【０２２０】
また、ジョブが保存ジョブの場合には、第１画像形成装置及び第２画像形成装置が当該保存ジョブのジョブデータ及び画像データを保持することができる。
【０２２１】
更に、実施の形態１と同様に、第１画像形成装置及び第２画像形成装置が、共通のオーバーレイ画像データをそれぞれのＨＤＤに保持することができるため、当該オーバーレイ画像データを用いた画像合成処理（オーバーレイ）を実行する際に用いるオーバーレイ画像データの転送時間を省くことができる。
【０２２２】
また、実施の形態１と同様に、自装置のＨＤＤに異常が発生した場合には、他の画像形成装置のＨＤＤのデータをバックアップデータとして用いて、自装置のＨＤＤのデータを容易に復旧することができるため、上記の効果を担保できる。
【０２２３】
また、本実施の形態２により、保存ジョブの実行、ジョブの初回実行後に実行される当該ジョブの実行（リプリント）、記ジョブの少なくとも一部を実行する仮実行の後に実行される当該ジョブの本実行、ジョブの設定情報の変更を行うことを前提に実行されるジョブ（プルーフ）の実行の後に実行される当該ジョブの実行、の際のデータの転送遅延を低減でき、生産性を向上させることができる。
【０２２４】
また、本実施の形態２により、両面モードのジョブを実行する場合には、用紙の一方の面と他方の面とを異なる画像形成装置によって画像形成させることができる。
【０２２５】
以上の説明では、本発明に係るプログラムのコンピュータ読み取り可能な媒体として、不揮発メモリ２５１、４５１等を使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。また、本発明に係るプログラムのデータを通信回線を介して提供する媒体として、キャリアウエーブ（搬送波）も本発明に適用される。
【０２２６】
また、本発明は、上記実施の形態の内容に限定されるものではなく、本発明の主旨を逸脱しない範囲で適宜変更可能である。
【符号の説明】
【０２２７】
１  画像形成システム
２  外部装置
３  ネットワーク
１０  給紙装置
２０Ａ  第１画像形成装置
２０Ｂ  第１画像形成装置
２１  画像読取部
２２  操作表示部
２３  プリント部
２４  コントローラ
２５  画像制御基板
２６  ＨＤＤ
２７  通信部
３０  スタック反転装置
４０Ａ  第２画像形成装置
４０Ｂ  第２画像形成装置
４３  プリント部
４４  コントローラ
４５  画像制御基板
４６  ＨＤＤ
４７  通信部
５０  後処理装置
２１０  画像読取制御部
２１１  ＣＣＤ
２２０  操作表示制御部
２２１  ＬＣＤ
２３０  プリント制御部
２３１  給紙部
２３２  用紙搬送部
２３２ａ  反転搬送部
２３３  画像形成部
２３３ａ  中間転写ベルト
２３４  定着ユニット
２４１Ａ  コントローラ制御部
２４１Ｂ  コントローラ制御部
２４２  コントローラ記憶部
２４３  ＤＲＡＭ制御ＩＣ
２４４  画像メモリ
２４５  ＬＡＮＩＦ
２５０Ａ  制御部
２５０Ｂ  制御部
２５１  不揮発メモリ
２５２  ＲＡＭ
２５３  読取処理部
２５４  圧縮ＩＣ
２５５  ＤＲＡＭ制御ＩＣ
２５６  画像メモリ
２５６ａ  圧縮メモリ
２５６ｂ  ページメモリ
２５７  伸長ＩＣ
２５８  書込処理部
４４１  コントローラ制御部
４４２  コントローラ記憶部
４４３  ＤＲＡＭ制御ＩＣ
４４４  画像メモリ
４４５  ＬＡＮＩＦ
４５０Ａ  制御部
４５０Ｂ  制御部
４５１  不揮発メモリ
４５２  ＲＡＭ
４５４  圧縮ＩＣ
４５５  ＤＲＡＭ制御ＩＣ
４５６  画像メモリ
４５６ａ  圧縮メモリ
４５６ｂ  ページメモリ
４５７  伸長ＩＣ
４５８  書込処理部
Ｂ１１ａ  カラーバランスボタン
Ｂ１１ｂ  光沢モードボタン
Ｂ１２ａ  イメージスクリーンボタン
Ｂ１２ｂ  解像度ボタン
Ｂ１２ｃ  カラーボタン
Ｂ２１  第１スタートボタン
Ｂ２２  第２スタートボタン
Ｅ１１  ジョブチケット編集領域
Ｅ１２  ページ別チケット編集領域
Ｇ１  ジョブ設定変更画面
Ｇ２  バックアップ画面
【図１】
0005630162.tif 000002
【図２】
0005630162.tif 000003
【図３】
0005630162.tif 000004
【図４】
0005630162.tif 000005
【図５】
0005630162.tif 000006
【図６】
0005630162.tif 000007
【図７】
0005630162.tif 000008
【図８】
0005630162.tif 000009
【図９】
0005630162.tif 000010
【図１０】
0005630162.tif 000011
【図１１】
0005630162.tif 000012
【図１２】
0005630162.tif 000013
【図１３】
0005630162.tif 000014
【図１４】
0005630162.tif 000015
【図１５】
0005630162.tif 000016
【図１６】
0005630162.tif 000017